(57)【要約】組み立て要素、特に１点の家具であって、この組み立て要素（１）が、少なくとも１つの後壁と、該後壁が備え付けられる全体を形成するいくつかの構造部品（３）と、を有し、該後壁が組み立て要素（１）の後側を形成し、そして該後壁が１つ以上の後壁部品（９、１０）から成る組み立て要素において、組み立て要素（１）が後壁部品（９、１０）の少なくとも１つを設置するための受け座を有し、該後壁部品（９、１０）を組み立て要素の後側から、特に最終状態において後壁部品（９、１０）が配置される最終平面とは異なる位置から、受け座内に滑り入れることができるように構成されていることを特徴とする組み立て要素である。【選択図】図３
2014509548.tif 000002
【特許請求の範囲】
【請求項１】
組み立て要素、特に１点の家具であって、この組み立て要素（１）が、少なくとも１つの後壁と、該後壁が備え付けられる全体を形成するいくつかの構造部品（３）と、を有し、該後壁が組み立て要素（１）の後側を形成し、そして該後壁が１つ以上の後壁部品（９、１０）から成る組み立て要素において、組み立て要素（１）が後壁部品（９、１０）の少なくとも１つを設置するための受け座を有し、該後壁部品（９、１０）を組み立て要素の後側から、特に最終状態において後壁部品（９、１０）が配置される最終平面とは異なる位置から、受け座内に滑り入れることができるように構成されていることを特徴とする組み立て要素。
【請求項２】
後壁が取り付けられる全ての構造部品（３）が互いに組み立てられた時にも、まだ後壁を受け座内に滑り入れることができるように構成されていることを特徴とする請求項１に記載の組み立て要素。
【請求項３】
構造部品（３）がパネル形要素から成り、そして受け座が１つ以上の後壁部品（９、１０）の為の溝を有し、該溝がそれぞれのパネル形要素内に一体化されており、ここで、溝と組み立て要素（１）の後側との間に１つ以上の通路（３３、３４）が存在し、それにより、組み立て要素の後側から１つ以上の通路（３３、３４）を通って溝内に後壁部品（９、１０）を滑り入れることが可能になることを特徴とする請求項１又は２に記載の組み立て要素。
【請求項４】
後壁部品（９、１０；８２）、複数の後壁部品（９、１０）のそれぞれを、湾曲することにより受け座内に滑り入れることができることを特徴とする請求項１〜３のいずれか１つに記載の組み立て要素。
【請求項５】
受け座が溝から成り、そのような溝が以下の可能性、
−組み立て要素（１）の後側の少なくとも２つの対向端に溝が配置されていること、
−組み立て要素（１）の後側の少なくとも２つの対向端と同様に、該２つの対向端に対して垂直の第３の端部にも溝が配置されていること、
−組み立て要素（１）の後側の第１の対の対向端と同様に、該第１の対の対向端に対して垂直方向の第２の対の対向端にも溝が配置されていること、
のいずれか１つにより組み立て要素に備えられていることを特徴とする請求項１〜４のいずれか１つに記載の組み立て要素。
【請求項６】
第１の対の対向端上の該後壁部品（９、１０）の１つ以上を、第２の対の対向端に備えられた溝内に最終的に配置されるまで、第１の対の対向端の該溝内を滑らせることにより移動させることができることを特徴とする請求項５に記載の組み立て要素。
【請求項７】
後壁部品（９、１０）、複数の後壁部品（９、１０）のそれぞれを、組み立て要素（１）の後側から第１の対の溝内に滑り入れることができ、その後、さらに第２の対の溝の第１の溝内に滑り入れることができ、その後、後壁部品（９、１０）、複数の後壁部品（９、１０）のそれぞれは、後壁が第２の対の溝の第２の溝内にも配置されるまで滑り戻されるように全体が構成されていることを特徴とする請求項６に記載の組み立て要素。
【請求項８】
後壁部品（９、１０）、複数の後壁部品（９、１０）のそれぞれを、組み立て要素の後側からそれぞれの受け座内に配置することができることを特徴とする請求項１〜７のいずれか１つの記載の組み立て要素。
【請求項９】
少なくとも２つの後壁部品（９、１０）を有し、該後壁部品を、１つの通路から反対方向へそれぞれの溝内に滑り入れることができることを特徴とする請求項１〜７のいずれか１つの記載の組み立て要素。
【請求項１０】
後壁が複数の後壁部品（９、１０）及び／又はいくつかの複数部分の後壁部品（９、１０）を有し、取り付けられた状態において、後壁部品が実質的に互いに隣接しており、ここで、後壁部品により形成される１つ以上の変わり目、そして好ましくは全ての変わり目が、組み立て要素に備えられる棚（８）又は隔壁の後方に配置されていることを特徴とする請求項１〜９のいずれか１つに記載の組み立て要素。
【請求項１１】
１つ以上の受け座がそれぞれの構造部品内の陥凹部（２９）により形成され、該陥凹部が、仕上げテープ（３１）により後方に向かって閉鎖されており、ここで、後壁部品（９、１０）を設置する為の通路（３３、３４）が仕上げテープ（３１）の局所的陥凹部として実現されることを特徴とする請求項１〜１０のいずれか１つに記載の組み立て要素。
【請求項１２】
組み立て要素、特に１点の家具であって、この組み立て要素（１）が、少なくとも１つの後壁と、該後壁が備え付けられる全体を形成するいくつかの構造部品（３）と、を有し、該後壁が組み立て要素（１）の後側を形成し、そして該後壁が１つ以上の後壁部品（９、１０）から成る組み立て要素において、構造部品（３）が板形状要素から成り、そして取付部分が、板形状要素内に組み込まれる１つ以上の後壁部品（９、１０）の為の溝を有し、ここで、１つ以上の通路（３３、３４）が溝と組み立て要素（１）の後側との間に存在し、該通路が、該後壁部品（９、１０；７０；８２）を組み立て要素の後側からこれらの通路（３３、３４）の１つ以上を通って溝内に滑り入れることができることを可能にすることを特徴とする組み立て要素。
【請求項１３】
組み立て要素、特に１点の家具であって、該組み立て要素が、少なくとも１つの後壁と、該後壁が備え付けられる全体を形成するいくつかの構造部品（３）と、を有し、該後壁が組み立て要素（１）の後側を形成し、そして該後壁が１つ以上の後壁部品（９、１０）から成り、そして、構造部品（３）が、一方で外側パネルを有し、他方で１つ以上の中間部品、特に１つ以上の棚及び／又は１つ以上の隔壁のような中間パネルを有する組み立て要素において、１つ以上の後壁部品（９、１０）の為の、中間パネルと協働する少なくとも１つの付属部品（４４）を備えていることを特徴とする組み立て要素。
【請求項１４】
付属部品（４４）が、中間部品の１つ、特に中間パネルの細い端部と係合する取付部分（４５）を有することを特徴とする請求項１３に記載の組み立て要素。
【請求項１５】
取付部分（４５）が、この目的の為にそれぞれの中間部品に備えられている開口内に押し下げることができる固定部分、特に返し付きの固定部分から成ることを特徴とする請求項１３又は１４に記載の組み立て要素。
【請求項１６】
付属部品（４４）が、１つ以上の後壁部品（９、１０）の後側と協働する止め形成部分、特にフランジ等を有することを特徴とする請求項１３〜１５のいずれか１つに記載の組み立て要素。
【請求項１７】
付属部品（４４）が、１つ以上の後壁部品（９、１０）の細い端部と横方向に協働する少なくとも１つの支持部分を有することを特徴とする請求項１３〜１６のいずれか１つに記載の組み立て要素。
【請求項１８】
支持部分が圧迫部分として形成され、該圧迫部分が、後壁部品（９、１０）をその受け座内に少なくとも１方向に押し込み、複数の後壁部品（９、１０）をそれらの受け座内にそれぞれ押し下げることを特徴とする請求項１７に記載の組み立て要素。
【請求項１９】
圧迫部分は、２つの後壁部品と協働することができるように２方向に作用することができ、それにより、反対方向に圧力を発揮することを特徴とする請求項１８に記載の組み立て要素。
【請求項２０】
付属部品（４４）が輪郭片の形に形成されることを特徴とする請求項１３〜１９のいずれか１つに記載の組み立て要素。
【請求項２１】
付属部品（４４）及び少なくとも１つの後壁部品（９、１０）が、相互横方向移動を妨げる係止部（５７、５８）を備えていることを特徴とする請求項１３〜２０のいずれか１つに記載の組み立て要素。
【請求項２２】
付属部品（４４）が、湾曲リブ（２０８）を備えた本体（２０７）を有し、この付属部品を、回転運動により、この目的の為に備えられた開口内に押し下げることができることを特徴とする請求項１３〜１６のいずれか１つに記載の組み立て要素。
【請求項２３】
後壁が一方の上に他方が配置された少なくとも２つの後壁部品（９、１０）から成り、その間に少なくとも１つの付属部品（４４）が備え付けられ、ここで、その間に１つ以上の付属部品（４４）を備え付けることを可能にする為に、始めに後壁部品を、少なくとも特定の箇所において、互いに距離を置いて保持する為の１つ以上のスペーサが備えられ、ここで、これらのスペーサが以下の可能性、
−後壁部品（９、１０）とは異なるスペーサ（１４８）、即ちスペーサが後壁部品の一部を形成しておらず、そして好ましくは突出部として形成されること、
−スペーサが後壁部品の一部により形成されているスペーサであり、最初の距離が１つ以上の後壁部品のそれぞれの端部の陥凹部（５９）により作り出されること、
の１つ又は組合せから成ることを特徴とする請求項１３〜２２のいずれか１つに記載の組み立て要素。
【請求項２４】
さらに請求項１〜１２のいずれか１つに記載の特徴をも示すことを特徴とする請求項１３〜２３のいずれか１つに記載の組み立て要素。
【請求項２５】
組み立て要素、特に１点の家具であって、該組み立て要素が、少なくとも１つの取付可能な後壁部品（９、１０）と、同様に少なくとも１つの構造部品、特に壁部品とを有し、該構造部品がパネル形状基体を有し、後壁を取り付ける為の仕上げテープ（３１）が該パネル形状基体の細い端部上に固定的に貼り付けられて備えられており、細い側部に横方向に隣接して後壁部品（９、１０）の為の受け座が溝の形で備えられている組み立て要素において、溝が、細い側部が仕上げテープ（３１）で覆われているパネル形状基体の端部の陥凹部（２９）により形成されており、ここで、溝の側壁の１つがパネル形状基体の陥凹部（２９）の壁により形成されており、他の側壁が仕上げテープ（３１）により形成されていることを特徴とする組み立て要素。
【請求項２６】
仕上げテープ（３１）が平坦なテープであることを特徴とする請求項２５に記載の組み立て要素。
【請求項２７】
陥凹部が、パネル形状基体に実施される切断処理により形成される機械形成陥凹部であることを特徴とする請求項２５又は２６に記載の組み立て要素。
【請求項２８】
仕上げテープ（３１）が０．５〜２ｍｍ、そして好ましくは０．８〜１．２ｍｍの厚さを有することを特徴とする請求項２５〜２７のいずれか１つに記載の組み立て要素。
【請求項２９】
仕上げテープ（３１）が、該仕上げテープ内に形成されるフック形状係止部（８３）を有し、該フック形状係止部が、この目的の為に後壁部品（９、１０）に備えられた陥凹部と係合することを特徴とする請求項２５〜２８のいずれか１つに記載の組み立て要素。
【請求項３０】
仕上げテープ（３１）が合成材料、好ましくはＡＢＳ又はＰＰから成ることを特徴とする請求項２５〜２９のいずれか１つに記載の組み立て要素。
【請求項３１】
仕上げテープ（３１）が接着剤により貼り付けられることを特徴とする請求項２５〜３０のいずれか１つに記載の組み立て要素。
【請求項３２】
仕上げテープ（３１）が弾性的に湾曲可能であり、ここで、後壁部品を組み立て要素の後側から関連する溝又は複数の溝内に正面方向に押し下げることができることを特徴とする請求項２５〜３１のいずれか１つに記載の組み立て要素。
【請求項３３】
さらに請求項１〜２４に記載の特徴のいずれか１つを示すことを特徴とする請求項２５〜３２のいずれか１つに記載の組み立て要素。
【請求項３４】
組み立て要素、特に１点の家具であって、この組み立て要素（１）が、少なくとも１つの後壁と、該後壁が備え付けられる全体を形成するいくつかの構造部品（３）と、を有し、該後壁が組み立て要素（１）の後側を形成し、そして該後壁が１つ以上の後壁部品から成る組み立て要素において、構造部品（３）が、該構造部品と一体に実現される取付部分（１０４）を備えており、該取付部分の後方に、通常特定の変形、例えば湾曲を伴って、後壁（２）を押し下げることができることを特徴とする組み立て要素。
【請求項３５】
取付部分（１０４）が、後壁の受け座を縁取るカム形状部分から成ることを特徴とする請求項３４に記載の組み立て要素。
【請求項３６】
カム形状部分がさらに溝の形の受け座（１７、１８、１９、２０）と組み合わされていることを特徴とする請求項３５に記載の組み立て要素。
【請求項３７】
組み立て要素、特に１点の家具であって、この組み立て要素（１）が、少なくとも１つの後壁と、該後壁が備え付けられる全体を形成するいくつかの構造部品（３）と、を有し、該後壁が組み立て要素（１）の後側を形成し、そして該後壁が１つ以上の後壁部品（９、１０）から成る組み立て要素において、組み立て要素（１）が、少なくともいくつかの構造部品（３）を、この目的のために形成された角において、家具の枠組みを形成する為の固定輪郭により互いに結合することができる型のものであり、ここで、少なくとも枠組みの組み立て後においても、好ましくは追加の付属要素無しで、後壁を該枠組み内へ、この目的の為に備えられた受け座内に挿入することができる後壁の為の取付部分を有していることを特徴とする組み立て要素。
【請求項３８】
後壁を受け座を介して滑り入れることができ、そして、少なくとも１つの止め具（１０８）によりその位置が保持されることを特徴とする請求項３７に記載の組み立て要素。
【請求項３９】
固定輪郭により角度をつけて相互接続しているいくつかの構造部品（３）を有する型の組み立て要素であって、係止部（１５、１６）を備えたタング及び溝結合が使用され、該係止部が実質的にタングの片側のみに配置されており、タングの両側に対向配置された部分が存在し、即ち係止部が存在する側に第１の部分（１１０、１１１）があり、もう一方の側に第２の部分（１１２、１１３）がある組み立て要素において、第２の部分（１１２、１１３）が理論的に互いに接触して配置されている時に、第１の部分（１１０、１１１）の間にわずかな間隔（Ａ）が存在することを特徴とする組み立て要素。
【請求項４０】
該間隔（Ａ）が１ｍｍより小さくそして好ましくは０．１ｍｍより大きく、そしてより好ましくは０．２〜０．６ｍｍであり、さらに好ましくは０．３〜０．５ｍｍであり、そして好ましくは約０．４ｍｍの大きさであることを特徴とする請求項３９に記載の組み立て要素。
【請求項４１】
いわゆる初荷重の概念が角接合部内に組み込まれていることを特徴とする請求項３９又は４０に記載の組み立て要素。
【請求項４２】
そのような間隔（Ａ）が組み立て要素の２つの連続する角接合部に適用されることを特徴とする請求項３９〜４１のいずれか１つに記載の組み立て要素。
【請求項４３】
明細書及び添付の図面に記載されている付属品、特に図５２〜８４の可能性のいずれか１つによる付属品。
【請求項４４】
複数の後壁部品から成る後壁を有する１点の家具の形の組み立て要素であって、好ましくは横方向に受け座（２１５、２１６）内に配置されている間に、後壁部品（２１１、２１２）が端部輪郭（２１３、２１４）により互いに結合可能であり、特に互いに押し入れられる、及び／又は互いに相互旋回してはまり込むことができることを特徴とする組み立て要素。
【発明の詳細な説明】
【技術分野】
【０００１】
本発明は、組み立て要素、さらに詳しくは家具に関する。
【０００２】
本発明は、そのような組み立て要素に適用することができる様々な改良を目的としており、そのいくつかは組み立て要素と共に使用される後壁構造物に関する。
【０００３】
特に、本発明は、分解された状態で販売されていて購入者自身が組み立てなければならない家具とともに使用されるのに適している様々な創作的発想を目的とするものである。ここで、このことはまず第一にいわゆるフラットパック家具に関する。
【背景技術】
【０００４】
さらに特に、本発明は、例えば国際公報ＷＯ２０１０／０７０４７２号及び国際公報ＷＯ２０１０／０７０６０５号から知られる型の固定方法により、適切な輪郭により、互いに結合することができる構造を有する組み立て要素に関する。
【０００５】
それら自体が構造部品に備えられており、全体的に又は大部分において構造部品と一体に形成されている、そのような輪郭の使用は、角度をつけてパネル形要素を相互接続する為に分離した要素、例えば金属製の接続要素が必要ではないという利点、又は少なくともそのような分離した要素の使用を最小限に抑えることができるという利点を与えるものである。そのもう１つの利点は、そのような輪郭はパネル形要素に簡単に加工することができ、そして角接合部の全体に沿って連続した固定結合を実現することができることである。
【発明の開示】
【発明が解決しようとする課題】
【０００６】
本発明は、組み立て要素、特に家具、そして特に上述の型の家具を、さらに最適化することができる様々な側面を目的とするものである。ここで、一般的な目的は、少なくともいくつかの構成部品、そして好ましくは全ての部品が、低費用で簡単に製造することができ、そして同様に簡単な方法で組み立てることができる家具に到達することであり、一方で、好ましくは最小限の付属品で、より詳しくは最小限の付属部品、ねじ等で、最終的に安定した１点の家具を得ることである。
【０００７】
以下に記載する側面のいくつかによると、本発明はまた、組み立て要素が組み立てられた後でもその後壁を取り付けることができる組み立て要素を提供することを目的とするものである。この方法においては、事前に後壁を取り付けることを意図していたが、例えば組み立てる人が通常の方法で後壁を取り付けることを忘れてしまった時でも、いつでも後壁を後から取り付けることができる。
【課題を解決するための手段】
【０００８】
第１の側面によると、本発明は、組み立て要素、特に１点の家具に関し、この組み立て要素が、少なくとも後壁と、同様に後壁が取り付けられる全体を形成するいくつかの構造部品と、から成り、後壁が組み立て要素の後側を形成し、そして後壁が１つ以上の後壁部品から成る、組み立て要素において、組み立て要素が、少なくとも１つの後壁部品、そして好ましくは全ての後壁部品を設置することができる受け座を有し、受け座は、組み立て要素の後側から、より詳しくは最終状態で後壁部品が配置される最終面とは異なる位置から、受け座内に後壁部品を滑り入れることができるように構成されていることを特徴とする組み立て要素である。異なる面から受け座内に後壁を滑り入れることができることにより、組み立て要素内に円滑に後壁を取り付けることができる全体が形成される。
【０００９】
好ましくは、組み立て要素は、後壁が取り付けられるべき全ての構造部品が互いに組み立てられた時にも、上述のように、後壁を受け座内に滑り入れることができるように構成されている。
【００１０】
さらに好ましくは、組み立て要素は、構造部品がパネル形要素から成り、受け座がそれぞれのパネル形要素に組み込まれる１つ以上の後壁部品の為の溝から成り、１つ以上の、好ましくは局所的な、通路が溝と組み立て要素の後側の間に存在し、それにより、１つ以上の通路を通って後側から溝内に後壁部品を滑り入れることができる。この方法においては、後壁部品に重負荷をかけることなく、後壁部品を円滑な方法で組み立て要素内に挿入することができる。
【００１１】
実用面においては、関連する後壁部品、複数の後壁部品のそれぞれは、湾曲することにより受け座内に滑り入れることができることが好ましい。
【００１２】
いくつかの可能性によると、受け座は溝から成り、そのような溝は、以下の可能性のいずれかによる組み立て要素に備えられている：
−組み立て要素の後側の少なくとも２つの対向端に溝が配置されている；
−組み立て要素の後側の少なくとも２つの対向端と、同様に当該２つの対向端を横断する第３の端に溝が配置されている；
−組み立て要素の後側の第１の対の対向端と、同様に第１の対の対向端を横断する方向に備えられた第２の対の対向端に溝が配置されている。
【００１３】
最も好ましい実施形態においては、そのような組み立て要素は、第１の対の対向端上の１つ以上の後壁部品が、同様に第２の対の対向端に備えられた溝内に当該後壁部品が最終的に配置されるまで、当該第１の対の対向端の溝内を移動することができることを特徴とする。この方法により、後部パネルを円滑な方法で実質的に全ての端上に取り付けることができる。
【００１４】
可能性によると、関連する後壁部品、複数の後壁部品のそれぞれを、組み立て要素の後側から第１の対の溝内に滑り入れることができ、その後、さらに第２の対の溝の第１の溝内にまで滑り入れることができ、その後、関連する後壁部品、複数の後壁部品のそれぞれは、後壁が第２の対の溝の第２の溝内にも配置されるまで滑り戻されるように、全体が構成されている。
【００１５】
可能性によると、そのような後壁部品、そのような複数の後壁部品のそれぞれは、後側の一端からそれぞれの受け座内に配置される。
【００１６】
代替案によると、組み立て要素は、少なくとも２つの後壁部品を有し、当該後壁部品を、１つの通路から反対方向にそれぞれの溝内に滑り入れることができる。
【００１７】
特定の実施例によると、組み立て要素は、後壁が、複数の後壁部品及び／又はいくつかの複合後壁部品から成り、当該後壁部品が、取り付けられた状態において、実質的に互いに隣接しており、ここで形成される変わり目、そして好ましくは全ての変わり目が、組み立て要素に備えられる棚又は隔壁の後方に配置されることを特徴とする。この方法により、そのような変わり目は効果的な方法で視界から隠される。
【００１８】
特に実用的な実施形態においては、受け座の１つ以上は、それぞれの構造部品内の陥凹部により形成され、当該陥凹部は仕上げテープにより後方において閉鎖されており、前記通路は仕上げテープの局所的陥凹部として実現される。
【００１９】
第２の側面によると、本発明は、組み立て要素、特に１点の家具に関し、この組み立て要素が、少なくとも後壁と、同様に後壁が取り付けられる全体を形成するいくつかの構造部品と、から成り、後壁が組み立て要素の後側を形成し、そして後壁が１つ以上の後壁部品から成る、組み立て要素において、当該構造部品が板形状要素から成り、そして取付部分が１つ以上の後壁部品のための溝を有し、当該溝が板形状要素内に一体化され、当該溝と組み立て要素の後側との間に１つ以上の通路が備えられ、当該通路が、組み立て要素の後側からこれらの１つ以上の通路を通って溝内に後壁部品を滑り入れることを可能にすることを特徴とする組み立て要素である。一体化された溝と協働することにより、後壁部品を円滑に滑り入れることができ、そして、可能なマスキングテープ以外に、追加の付属品を備える必要がないという利点がある。
【００２０】
第３の独立した側面によると、本発明は、組み立て要素、特に１点の家具に関し、この組み立て要素が、少なくとも後壁と、同様に後壁が取り付けられる全体を形成するいくつかの構造部品と、から成り、後壁が組み立て要素の後側を形成し、そして後壁が１つ以上の後壁部品から成り、そして、当該構造部品が、一方では外側パネルを有し、他方では１つ以上の中間部品、特に、１つ以上の棚及び／又は１つ以上の隔壁等の中間パネルを有する組み立て要素において、１つ以上の後壁部品の為の、中間パネルと協働する少なくとも１つの付属部品を備えていることを特徴とする組み立て要素である。そのような協働により、様々な効果が創出され、その中には中間パネルに対して後壁を圧迫することが含まれ、そのようにして後壁と中間パネルの間に隙間が形成されることを防止し、後壁部品と他の部品の間の相互移動性を制限することにより、１点の家具の剛性を強化することができる。
【００２１】
そのような付属部品は好ましくは、中間部品の１つに、特に中間パネルの細い端部にはめ込まれる取付部分を有する。ここで、この付属部品は特に、それぞれの中間部品にこの目的のために備えられた開口内に押し入れることができる固定部分、特に返し付きの固定部分から成ることができる。
【００２２】
さらに、付属部品は止め形成部分、特に１つ以上の後壁部品の後側と協働するフランジ等を有することが好ましい。
【００２３】
また、付属部品は、対応する受け座の対向端に後壁部品が保持されるように後壁部品を抑止するために、１つ以上の後壁部品の細い端部と横方向に協働する支持部分も有することが好ましい。
【００２４】
実用的な実施形態においては、支持部分は、それぞれの後壁部品を少なくとも一方向に受け座内へ押し込む圧迫部分として形成され、それぞれの後壁部品をそれらの受け座内にそれぞれ押し込む。この方法により、遊びを最小限にして、後壁部品と家具の枠組みの間の移動性を減少させようとし、組み立て要素の安定性を促進する。
【００２５】
好ましくは、圧迫部分は、２つの後壁部品と協働することができるように、２つの方向に作用することができる。
【００２６】
実用的な実施形態によると、付属部品は小さな輪郭の形状に実現され、柔軟であるかそうではない、細長い片も有することができる。
【００２７】
取り付けられた組み立て要素の安定性を増加する為に、付属部品及び少なくとも１つの後壁部品は、横方向の相互移動を妨げる係止部を備えている。
【００２８】
もう１つの実用的な実施形態によると、付属部品は、回転により圧迫することができる要素から成り、該要素が、固定力を備える為の利用しやすい信頼性のある解決策を提供する。
【００２９】
付属部品のいくつかの他の可能な実施形態も、発明の詳細な説明において説明される。
【００３０】
第３の側面の特定実施形態によると、組み立て要素はさらに、後壁が、互いの上に配置される少なくとも２つの後壁部品から成り、該後壁部品の間に少なくとも１つの付属部品が備えられ、ここで、１つ以上の付属部品を後壁部品の間に備えることを可能にする為に、少なくとも特定の箇所において、始めに後壁部品を互いに距離を置いて保持する為に、１つ以上のスペーサが備えられ、これらのスペーサが、以下の可能性の１つ又は組合せからなることを特徴とする：
−スペーサは後壁部品とは異なり、即ち後壁部品自体の一部を形成しておらず、そして好ましくは複数の突起として形成される；
−スペーサは後壁部品自体の一部として形成され、始めの距離は、１つ以上の後壁部品のそれぞれの端部の陥凹部により作り出される。
【００３１】
独立した第４の側面によると、本発明は、組み立て要素、特に１点の家具に関し、該組み立て要素が、少なくとも１つの取り付け可能な後壁部品を有し、同様に、少なくとも１つの構造部品、特に壁部品を有し、該壁部品が、パネル形基体から成り、該パネル形基体の細い端部には、後壁を取り付ける為に固定的に付着された仕上げテープが備えられ、ここで、細い側部に横方向に隣接して後壁部品の為の受け座が溝の形状で備えられている、組み立て要素において、該溝が、細い側部が仕上げテープで覆われているパネル形基体の端部の陥凹部により形成され、該溝の１つの側壁がパネル形基体の陥凹部の壁により形成され、該溝のもう１つの側壁が仕上げテープにより形成されることを特徴とする組み立て要素である。この側面によると、後壁部品の為の受け座を技術的に実現する為の特に簡単な技術を提供する。また、この方法においては、後壁を後側のかなり近くに配置することができ、それにより、１点の家具内に空間を得ることができる。また、もう１つの利点は、例えば本発明の第１の側面を適用する為に、仕上げテープ内の通路をとても簡単に実現できる。
【００３２】
好ましくは、仕上げテープは、この目的の為に仕上げテープを使用できるように、平坦な型のものであり、該仕上げテープは標準的な技術により実現することができる。
【００３３】
さらに好ましくは、陥凹部は機械製の陥凹部であり、陥凹部はパネル形基体に実施される切断処理により形成される。
【００３４】
実際には、伝統的な端部被覆技術を使用することができるように、仕上げテープは０．５〜２ｍｍ、そして好ましくは０．８〜１．２ｍｍの厚さを有し、該仕上げテープはロールから供給される。しかしながら、他の厚さを排除するものではない。
【００３５】
特定の実施形態によると、仕上げテープ内に形成されたフック形状係止部を有する仕上げテープが使用され、フック形状係止部は後壁部品内に備えられた陥凹部内にはめ込まれることを意図している。この方法により、追加の固定が得られる。
【００３６】
好ましくは、仕上げテープは合成材料、好ましくはＡＢＳ又はＰＰから成る。
【００３７】
仕上げテープは接着により貼り付けられることが好ましいことは明らかであり、その結果、伝統的な端部仕上げ装置を使用することができる。
【００３８】
１つの同じ当該仕上げテープにより、受け座の端部が形成され、同様に結合溝の先端を視界から隠すことができる。
【００３９】
第４の側面の特定の応用においては、組み立て要素の後側から、関連する溝又は複数の溝内に後壁部品を正面方向に押し下げることができるように、仕上げテープは弾性的に湾曲可能である。この方法においては、家具の枠組みを組み立てた後においても該枠組みに後壁を取り付けることができる可能性をも提供するものである。
【００４０】
第５の側面によると、本発明は、組み立て要素、特に１点の家具に関し、この組み立て要素が、少なくとも後壁と、同様に後壁が取り付けられる全体を形成するいくつかの構造部品と、から成り、後壁が組み立て要素の後側を形成し、そして後壁が１つ以上の後壁部品から成る、組み立て要素において、構造部品が構造部品と一体に実現された付属部品を備えており、当該付属部品の後方において、通常特定の変形、例えば湾曲を伴って、後壁を押し下げることができることを特徴とする組み立て要素である。一体に作られている事実により、ねじ、くぎ、付属クリップ等の特定の付属品を排除することができる。実際には、ここで付属部品は、後壁の為の受け座を縁取るカム形状部分から成る。さらに好ましくは、付属部品は溝の形の受け座と組み合わされる。
【００４１】
第６の側面によると、本発明は、組み立て要素、特に１点の家具に関し、この組み立て要素が、少なくとも後壁と、同様に後壁が取り付けられる全体を形成するいくつかの構造部品と、から成り、後壁が組み立て要素の後側を形成し、そして後壁が１つ以上の後壁部品から成る、組み立て要素において、該組み立て要素が、少なくともいくつかの構造部品を、この目的の為に角に形成される、家具の枠組みを形成する為の固定輪郭により結合することができる型のものであり、少なくとも枠組みが組み立てられた後においても、好ましくは追加の付属要素無しで、後壁を枠組み内へ、この目的の為に備えられた受け座内に挿入することができることを可能にする後壁の為の取付部分を有していることを特徴とする組み立て要素である。この方法により、多くの追加の付属品無しで１点の家具を得ることができ、フラットパック家具として商品化することができる。この可能な実施形態によると、後壁を全体の枠組み内に受け座を通して滑り入れることができ、そして、少なくとも１つの止め具により後壁を挿入された位置に保持することができる。
【００４２】
また、独立した第７の側面によると、本発明は、固定輪郭により角度をつけて相互接続するいくつかの構造部品を有する型の組み立て要素に関し、係止部を有するタング及び溝結合が使用され、当該係止部が実質的にタングの片側に配置されており、タングの両側に互いに対向して配置された部分が存在し、即ち、係止部が存在する側に第１の部分があり、もう一方の側に第２の部分がある、組み立て要素において、第２の部分が理論的に互いに接触して配置されている時に、第１の部分の間にわずかな間隔が存在することを特徴とする組み立て要素である。発明の詳細な説明において、より詳細に説明されているように、これにより、特に安定した１点の家具を実現することができる。
【００４３】
本発明の更なる独立した側面は、更なる発明の詳細な説明から明らかになるであろう。これらの更なる側面は、異なる性質のものであり、そして、全ての側面が後壁構造物に関係するものではない。様々な側面は、一般的に家具に使用することができる付属品に関係するものである。
【００４４】
本発明は、そのような組合せが矛盾した特性を含んでいない限り、２つ以上の前記側面の全ての可能な組合せにも関するものである。
【００４５】
最後に、本発明は、その特徴が発明の詳細な説明から明らかになる、後壁部品の使用方法にも関するものである。
【図面の簡単な説明】
【００４６】
【図１】本発明の組み立て要素を示す斜視図である。
【図２】図１の線II−IIに沿う拡大断面図であり、もっぱら外壁及び角接合部を示す図である。
【図３】図１の組み立て要素の背面図である。
【図４】図３の矢印Ｆ４による拡大図である。
【図５】図４の線V−Vによる断面図である。
【図６】図３の線VI−VIによる拡大断面図である。
【図７】図３の線VII−VIIによる拡大断面図である。
【図８】図５のＦ８により示される部分の変形拡大図である。
【図９】図３の線IX−IXによる拡大断面図である。
【図１０】図９でＦ１０により示される付属部品のわずかに変更された変形を示す斜視図である。
【図１１】図９の変形実施形態を示す図である。
【図１２】図１１の線XII−XIIによる断面図である。
【図１３】図９の他の変形実施形態を示す図である。
【図１４】図９の他の変形実施形態を示す図である。
【図１５】図９の他の変形実施形態を示す図である。
【図１６】本発明による組み立て要素を示す背面図である。
【図１７】図１６の矢印Ｆ１７による拡大図である。
【図１８】後壁を取り付けている間の図１６の線XVIII−XVIIIによる拡大断面図である。
【図１９】後壁を取り付けた後の図１６の線XVIII−XVIIIによる拡大断面図である。
【図２０】本発明の他の変形実施形態を示す図である。
【図２１】本発明の他の変形実施形態を示す図である。
【図２２】図２０及び２１の組み立て要素の折り畳み式後壁部品を示す図である。
【図２３】開かれた状態の折り畳み式後壁部品の図２２の線XXIII−XXIIIによる拡大断面図である。
【図２４】完全に閉じられた状態の折り畳み式後壁部品の図２３と同様の図である。
【図２５】本発明の他の組み立て要素を示す背面図である。
【図２６】本発明の他の組み立て要素を示す正面図である。
【図２７】本発明による他の組み立て要素の背面図である。
【図２８】図２７の線XXVIII−XXVIIIによる拡大断面図である。
【図２９】異なる変形を示す図２８と同様の図である。
【図３０】異なる変形を示す図２８と同様の図である。
【図３１】異なる変形を示す図２８と同様の図である。
【図３２】異なる変形を示す図２８と同様の図である。
【図３３】異なる変形を示す図２８と同様の図である。
【図３４】棚を取り付ける為の、特に棚を支持する為の装置の２つの実施形態を示す図である。
【図３５】棚を取り付ける為の、特に棚を支持する為の装置の２つの実施形態を示す図である。
【図３６】棚を取り付ける為の、特に棚を支持する為の装置の２つの実施形態を示す図である。
【図３７】棚を取り付ける為の、特に棚を支持する為の装置の２つの実施形態を示す図である。
【図３８】棚を取り付ける為の、特に棚を支持する為の装置の２つの実施形態を示す図である。
【図３９】本発明の他の特定の実施形態を示す図である。
【図４０】本発明の他の特定の実施形態を示す図である。
【図４１】本発明の他の特定の実施形態を示す図であり、図４０の線XLI−XLIによる断面図である。
【図４２】本発明の他の特定の実施形態を示す図であり、図４０の線XLII−XLIIによる断面図である。
【図４３】本発明の他の特定の実施形態を示す図である。
【図４４】本発明の他の特定の実施形態を示す図であり、図４３の線XLIV−XLIVによる断面図である。
【図４５】本発明の他の特定の実施形態を示す図であり、図４３の線XLV−XLVによる断面図である。
【図４６】後壁部品の特定の実施形態を示す図である。
【図４７】図４０の実施形態の変形を示す図である。
【図４８】図４７の線XLVIII−XLVIIIによる拡大断面図である。
【図４９】本発明による他の組み立て要素を示す図である。
【図５０】結合前の状態の本発明による結合部の特定の形状を示す図である。
【図５１】結合後の状態の本発明による結合部の特定の形状を示す図である。
【図５２】家具に使用することができる更なる異なる付属品を示す図である。
【図５３】家具に使用することができる更なる異なる付属品を示す図である。
【図５４】家具に使用することができる更なる異なる付属品を示す図である。
【図５５】家具に使用することができる更なる異なる付属品を示す図である。
【図５６】家具に使用することができる更なる異なる付属品を示す図である。
【図５７】家具に使用することができる更なる異なる付属品を示す図である。
【図５８】家具に使用することができる更なる異なる付属品を示す図である。
【図５９】家具に使用することができる更なる異なる付属品を示す図である。
【図６０】家具に使用することができる更なる異なる付属品を示す図である。
【図６１】家具に使用することができる更なる異なる付属品を示す図である。
【図６２】家具に使用することができる更なる異なる付属品を示す図である。
【図６３】家具に使用することができる更なる異なる付属品を示す図である。
【図６４】家具に使用することができる更なる異なる付属品を示す図である。
【図６５】家具に使用することができる更なる異なる付属品を示す図である。
【図６６】家具に使用することができる更なる異なる付属品を示す図である。
【図６７】家具に使用することができる更なる異なる付属品を示す図である。
【図６８】家具に使用することができる更なる異なる付属品を示す図である。
【図６９】家具に使用することができる更なる異なる付属品を示す図である。
【図７０】家具に使用することができる更なる異なる付属品を示す図である。
【図７１】家具に使用することができる更なる異なる付属品を示す図である。
【図７２】家具に使用することができる更なる異なる付属品を示す図である。
【図７３】家具に使用することができる更なる異なる付属品を示す図である。
【図７４】家具に使用することができる更なる異なる付属品を示す図である。
【図７５】家具に使用することができる更なる異なる付属品を示す図である。
【図７６】家具に使用することができる更なる異なる付属品を示す図である。
【図７７】家具に使用することができる更なる異なる付属品を示す図である。
【図７８】家具に使用することができる更なる異なる付属品を示す図である。
【図７９】家具に使用することができる更なる異なる付属品を示す図である。
【図８０】家具に使用することができる更なる異なる付属品を示す図である。
【図８１】家具に使用することができる更なる異なる付属品を示す図である。
【図８２】家具に使用することができる更なる異なる付属品を示す図である。
【図８３】家具に使用することができる更なる異なる付属品を示す図である。
【図８４】家具に使用することができる更なる異なる付属品を示す図である。
【図８５】本発明によるいくつかの更なる後壁構造物に関する図である。
【図８６】本発明によるいくつかの更なる後壁構造物に関する図である。
【図８７】本発明によるいくつかの更なる後壁構造物に関する図である。
【図８８】本発明によるいくつかの更なる後壁構造物に関する図である。
【図８９】本発明によるいくつかの更なる後壁構造物に関する図である。
【図９０】本発明によるいくつかの更なる後壁構造物に関する図である。
【図９１】本発明によるいくつかの更なる後壁構造物に関する図である。
【図９２】本発明によるいくつかの更なる後壁構造物に関する図である。
【図９３】本発明によるいくつかの更なる後壁構造物に関する図である。
【図９４】本発明によるいくつかの更なる後壁構造物に関する図である。
【図９５】本発明によるいくつかの更なる後壁構造物に関する図である。
【図９６】本発明によるいくつかの更なる後壁構造物に関する図である。
【図９７】本発明によるいくつかの更なる後壁構造物に関する図である。
【図９８】本発明によるいくつかの更なる後壁構造物に関する図である。
【図９９】本発明によるいくつかの更なる後壁構造物に関する図である。
【図１００】本発明によるいくつかの更なる後壁構造物に関する図である。
【図１０１】本発明によるいくつかの更なる後壁構造物に関する図である。
【図１０２】本発明によるいくつかの更なる後壁構造物に関する図である。
【図１０３】本発明によるいくつかの更なる後壁構造物に関する図である。
【図１０４】本発明によるいくつかの更なる後壁構造物に関する図である。
【発明を実施するための最良の形態】
【００４７】
本発明の特徴をより良く示す為に、以下に、限定的な性格の無い例として、添付の図面を参照にして、本発明のいくつかの好ましい実施形態を記載する。
【００４８】
図１〜３には、本発明による組み立て要素１が示され、この場合、１点の家具、特に食器棚の形状の組み立て要素１が示されている。組み立て要素１は後壁２を有し、同様にいくつかの構造部品を有し、この場合、構造部品は参照番号３により一般的に示されており、後壁２が組み立て要素１の後側を形成するような方法で、後壁２が配置される全体を構造部品が形成する。
【００４９】
実施例においては、構造部品３は底壁４、左側側壁５、右側側壁６、上壁７及び棚８により形成される。この実施例において、後壁２は、一方が他方の上に配置されている２つの後壁部品９及び１０から成る。
【００５０】
図２から分かるように、この実施例は好ましくは構造部品が実際の基本的枠組みを形成する型の組み立て要素１に関し、この場合、前記壁４、５、６及び７を、その端部に一体化されている結合部分１１、１２のみにより、実質的に互いに固定することができ、したがって、分離した接続要素の必要が無い。さらに、図示されているように、構造部品３は好ましくは全ての部品が平坦な又は比較的平坦な要素から成ることが好ましく、その結果として、全体をフラットパック家具として販売することができる。
【００５１】
結合部分１１、１２はどのような形状でもよいが、図示されているように、好ましくはタング１３及び溝１４から成り、該タング１３及び溝１４は互いの後方でかみ合う係止部１５、１６を備えている。この例は、特に国際公報ＷＯ２０１０／０７０６０５号から広く知られている。
【００５２】
さらに、組み立て要素１は少なくとも受け座１７及び１８を備えており、そして実施例においては、受け座１９及び２０も備えており、該受け座内に後壁部品９、１０が配置され、実施例において、受け座は基本的枠組みの対向側部上、即ち側壁５、６の内側の溝２１、２２から成り、同様に、底壁４及び上壁７の内側の溝２３、２４から成る。ここで、この実施例は、以下においてさらに明らかになるであろう、それぞれの壁４、５、６、７に一体化された溝に関する。
【００５３】
図４〜７に図示されているように、溝は、１点の家具の前側に向ってそのような溝を縁取る第１の側壁２５と、１点の家具の後側に向ってそのような溝を縁取る第２の側壁２６と、底部２７と、を有する。第２の側壁２６は、取り付けられた状態において、それぞれの後壁部品がその後側に保持される端部２８の一部である。
【００５４】
図示される実施例において、そのようなそれぞれの溝は、それぞれの構造部品内の陥凹部２９により形成され、そして、端部２８は比較的堅い仕上げテープ３１の部分３０により形成され、該仕上げテープ３１はそれぞれの構造部品の細い側部３２上に備えられ、そして、該部分３０が陥凹部２９の前にまで達している。しかしながら、本発明の第１の側面は、そのような溝及び溝を縁取る端部が材料的にどのように構成されているかという方法に限定されるものではなく、そして、以下に説明する第１の側面の範囲内において、溝及び端部は他のどのような方法でも実現できるものである。
【００５５】
本発明の第１の側面によると、少なくとも受け座１７、１８は、組み立て要素の後側から、特に後壁部品９、１０が最終的に配置される最終平面とは異なる位置から、受け座１７、１８内に後壁部品９、１０を滑り入れることができるように構成されている。特に、後壁２が取り付けられる全ての構造部品が互いに取り付けられた時においても、上述のように、後壁２を受け座１７、１８内に滑り入れることができ、そして結果として後壁２を受け座１９、２０内にも配置することができるように、全体が構成されている。
【００５６】
この目的の為に、図３に図示されているように、溝２１、２２と組み立て要素１の後側との間に２つの通路３３、３４が存在し、それにより、後壁部品９、１０を組み立て要素の後側から該通路３３、３４を通して、場合により、それぞれの後壁部品及び／又はそれぞれの端部の若干の湾曲及び／又は他の変形を伴って、溝内に滑り入れることを可能にする。実施例において、通路３３、３４は１点の家具の後側の対向側部上に、大体中間辺りに配置されている。図４からより詳しく分かるように、そのような通路３３、３４は、端部２８が制限された距離にわたって局所的に存在しないことにより、又は代替案によると少なくともより小さく存在していることにより構成され、この場合、仕上げテープ３１は局所的に切断されている。
【００５７】
図３から分かるように、通路は後壁部品９、１０が互いに結合する位置の高さに配置されており、したがって、下部後壁部品９の上端３５及び上部後壁部品１０の下端３６が互いに隣接しているか、又は互いに大体隣接している高さに配置されている。
【００５８】
溝２３及び２４が後壁部品９の下端３７及び後壁部品１０の上端３８の為の受け座を形成することは明らかである。このことにより、後壁部品の第１の対の対向端、即ち端部３９、４０及び４１、４２が溝２１、２２内において移動できなくなることを可能にし、そして、この場合、最下部パネルの下端３７及び最上部パネルの上端３８により形成される、第２の対の対向端は、そこに存在する溝２３、２４内に配置される。
【００５９】
図示される実施例において、特に図５を参照に以下に説明されているように、２つの後壁部品９、１０を、通路３３、３４からそれぞれの溝２１、２２内に反対方向Ｄ１及びＤ２に滑り入れることができる。図２に図示されているように、まず家具の枠組みが組み立てられることは明らかである。次に、最下部後壁部品９を通路３３、３４を通して１点の家具の下側に向かって溝内に方向Ｄ１に滑り入れることができ、したがって、傾斜した最も湾曲した位置Ｐ１から始まり、後壁の最終平面における最終位置Ｐ２に向って滑り入れることができる。最終位置Ｐ２において、最下部後壁部品９はその最下端３７において最下部溝２３内に位置している。次に、最上部後壁部品１０は、傾斜した最も湾曲した位置Ｐ３から始まり、同じ通路３３、３４を通して、最終的に後壁の実際の平面における位置Ｐ４に配置されるまで、溝内に図示される方向Ｄ２に滑り入れられる。後壁部品の寸法は、好ましくは、後壁部品が前記位置Ｐ２及びＰ４において互いに対して配置される時にも、後壁部品が下端３７及び上端３８において、それぞれ溝２３及び２４内に位置しているような寸法である。
【００６０】
説明の為に、図６及び７にも後壁を取り付けられた状態の断面図を図示している。
【００６１】
図８において、変形が図示されており、後壁部品が、この場合面取り４３をすることにより、一端に向かってより細く形成されている。図示されているように、このことは始めにそれぞれの溝の縁の後方にそのような後壁部品を持っていくことを容易にする。
【００６２】
図３に図示される組み立て要素１は、後壁部品９、１０の為の付属部品４４をも備え、本発明の第３の側面により、該付属部品４４は中間パネル、この場合、棚８と協働する。ここに図示される実施形態の構成と、同様に作用は、以下に図２〜９を参照にして説明されている。
【００６３】
上記協働を考慮して、付属部品４４は、棚の後向きの側部４６にはめ込まれる取付部分４５を備えている。この取付部分４５は、この目的の為に対応する棚８に備えられた溝のような開口４７内に押し下げることができる固定部分として実現され、特に返し４８付きの固定部分として実現される。
【００６４】
さらに、付属部品４４は、この場合フランジの形状の止め形成部分４９を有し、該止め形成部分が、取り付けられた状態において、後壁部品９、１０の後側と協働する。取付部分４５とフランジが実質的にＴ形状体を形成し、フランジが、取付部分の両側に配置された２つの羽根５０、５１を規定する。
【００６５】
さらに、付属部品４４は、後壁部品の隣接端と横方向に協働する支持部分５２を有する。ここで、支持部分５２は、好ましくは後壁部品が受け座内に押し下げられるように、それぞれの後壁部品を付属部品４４から離れるように押し込む圧迫部分として実現される。圧迫部分は、弾性力で後壁部品に作用する弾性的に変形可能なリップ５３、５４により形成される。
【００６６】
図３に図示されているように、付属部品４４は、例えば合成材料の、細長い輪郭片の形で実現することができる。
【００６７】
図９の実施例においては、羽根５０、５１が、弾性的に湾曲可能な部分５５、５６を有し、該弾性的に湾曲可能な部分が、取り付けられた状態において、永続的な押圧力を発揮する。一方で、このことは、後壁部品が永続的に棚８の後側に対して押し込まれるという利点を提供する。この押圧力により、固定が得られ、このことが、後壁部品９、１０及び棚８が互いに対して移動することがより困難になることを達成し、それにより、組み立て要素は、遊びの結果としてそのような１点の家具に生じることがある可能なぐらつき運動に対してより耐性があるようになる。
【００６８】
図１０には、付属部品４４の変形が図示されており、ここで、フランジは実質的に平坦である。図１０は、付属部品が細長い輪郭片として作られることをも明らかに示している。
【００６９】
そのような付属部品４４は、特に輪郭として作られている場合、あらゆる適切な材料、例えば金属又は合成材料から成ることができ、ここでは、その弾力性により合成材料が好ましい。
【００７０】
場合により、そのような付属部品４４及び少なくとも１つの後壁部品９、１０そして好ましくはその両方は、互いに２つの後壁部品の間の、及び／又は１つ以上の後壁部品及び隔壁の間の相互横方向移動を妨げる係止部を有することができる。図１０には、例として、そのような係止部５７、５８が点線で代替案として図示されている。ここで、係止部は、両方の後壁部品の図示しない開口と協働することを意図する、局所的突出部から成る。
【００７１】
好ましくは、付属部品４４は、好ましくは道具を使わずに、簡単な方法で互いに備え付けることができるように実施される。図示した実施例において、そのような付属部品４４の備え付けは、付属部品を２つの後壁部品９、１０の間に配置して、この目的の為に備えられた開口内に押し下げることにより、簡単に実施される。その後、取付部分４５が、付属部品が棚８内に固定的に保持されることを可能にする。止め形成部分４９又は羽根５０、５１が、後壁部品が棚に対して配置されたままに留まることを可能にする。支持部分５２が互いに後壁部品を支持し、ここで、これらの後壁部品の間に湾曲部分５５、５６により圧力も加えられる。
【００７２】
図３から分かるように、そのような付属部品４４が備え付けられる位置において、後壁部品の９、１０の１つ又は両方に陥凹部５９を備えることができる。これらの陥凹部５９は様々な利点を提供する。第１の利点は、後壁部品９、１０が自由に互いの上に置かれている時に、付属部品４４を備え付ける場所を直接見ることができることである。第２の利点は、付属部品４４を取り付ける為に、取り付ける者が始めに２つの後壁部品を互いに離れるように押す必要がないことである。第３の利点は、そのような付属部品が陥凹部に隣接して取り付けられていない間、２つの後壁部品は互いの上に置かれ、そして、上部後壁部品がその上端において対応する溝内に存在したままであり、それにより、付属部品を取り付けている間、取り付ける者が最上部の後壁部品が関連する溝内に滑り込んでいるか否かに注意を払う必要がなくなることである。
【００７３】
陥凹部５９は、付属部品４４が備え付けられる場所だけに存在することもできるが、図３に点線で図示されているように、陥凹部は他の場所、特にそのような後壁部品の２つの対向端のそれぞれに存在することもでき、それにより、取り付ける者がどのように後壁部品を備え付けるかに関わらず、これらの陥凹部が常に付属部品を備え付ける為の正しい位置に配置される。
【００７４】
図１１及び１２には、そのような付属部品４４の変形が図示されている。取付部分４５はねじ部分として設計され、該ねじ部分は、関連する棚８にこの目的の為に備えられている開口６０内に、棚の材料に直接、又は図示されているように、この目的の為に開口６０内に固定されており、ねじ山を備えている軸受け筒６１内にねじ込むことができる。
【００７５】
ここで、付属部品４４は、この場合円形のフランジの形の止め形成部分４９をも有し、取り付けられた状態において、該止め形成部分は後壁部品９、１０の後側と協働する。フランジは、回転つまみの形の部分６２と、さらに円錐形の又は傾斜した部分６３と、を有し、付属部品がねじ込まれた時に、フランジの傾斜側面６４が後壁部品の端部と接触する。上記協働の結果として、後壁部品を棚８に対して締め付けることができるだけでなく、後壁部品を横方向に離れる方向に押し込むこともでき、それにより、受け座内の遊びが減少し、又は遊びが無くなり、そして、圧迫が形成され、それにより、１点の家具の剛性が強化される。上記回転つまみの形の部分６２がその後側で後壁部品に対して圧迫されるまで、回転つまみをねじ込むことができ、一方、上記円錐形の又は傾斜した部分６３は後壁部品の材料内にいくらか入り込む。ここで、円錐形の又は傾斜した部分６３が、支持部分５２及び圧迫部分の両方として機能することは明らかである。
【００７６】
ここで、好ましくは、陥凹部５９は、例えば大体半円形の陥凹部として、局所的に実現され、そして、陥凹部は横方向に効果的な係止部としても自動的に機能し、後壁部品の相互横方向移動が排除される。
【００７７】
図１３〜１５には、もう１つの変形が図示されている。ここでも、ねじ山を備えた軸受け筒６５が棚８等の後端に取り付けられている。この軸受け筒内に、付属部品４４がねじ込まれ、ねじ山を備えた取付部分４５によって軸受け筒６５内にはめ込まれる。付属部品４４は、全体を回転させて締め付ける為の折り込み取っ手６６を備えるフランジの形の止め形成部分４９と、放射状表面６７を備え、圧迫部分として機能する支持部分５２と、を有し、ここで、放射状表面から取付部分の中心軸への距離が外周によって変化しており、好ましくは、支持部分は楕円形である。また、歯止め形状の歯６８、６９が軸受け筒６５及び付属部品４４に備えられ、歯止め形状の歯６８、６９の互いに一方の方向における変形により、軸受け筒６５及び付属部品４４は互いに関連して回転することができるが、逆回転することは防止される。組み立て時に、軸受け筒６５内に付属部品４４がねじ込まれた時に、楕円形の支持部分５２が２つの後壁部品の端部の間で圧迫され、したがって、後壁部品を離れるように押し込む状態が形成される。陥凹部５９、支持部分５２の形状、特に支持部分の放射状表面６７の輪郭、そして、軸受け筒６５及び取付部分４５のねじ山が、始めに支持部分がその最小半径寸法部分において後壁部分の間に配置され、この位置から回転された時に、意図する圧迫作用をもたらすようなはめ込み方法に適していることは明らかである。
【００７８】
組み立て要素１は、後壁が２つの後壁部品から成るもの、又は組み立て要素の高さの中間に通路３３、３４が配置されているものに限定されているわけではないことは明らかである。このことを実証する為に、以下に、図１６〜２６により、組み立て要素のいくつかの変形が記載されており、ここで、後壁は異なる方法で実現されている。
【００７９】
図１６には、背面図において、組み立て要素がただ１つの後壁部品７０を有することが図示されている。溝の形の受け座１７、１８、１９、２０が全ての４つの側部に配置されている。下端部に隣接した対向側部上に、通路３３、３４が後壁部品７０を挿入するために備えられている。図１７に詳細に図示されているように、図４の通路と同様に、そのような通路３４は仕上げテープ３１の切断部から成ることができる。その後、本発明の第１及び第２の側面により、図１８の矢印Ｄ３によって後壁部品を通路３３、３４を通して溝内に滑り入れて、次に、図１９の図示されているように、全ての端部が受け座内に配置されるように、矢印Ｄ４によっていくらか後壁部品を降下させることにより、後壁部品の取り付けが実施される。
【００８０】
図２０〜２４には、変形が図示されており、それぞれが複数部分から形成され、したがって、それぞれが折り返し形状の、２つの後壁部品が使用されている。それぞれの後壁部品９、１０が、それぞれ２つの部分７１、７２を有し、該２つの部分がヒンジ部７３によりそれぞれ連結されている。図２２には、部分的に開かれている形状のそのような後壁部品が図示されている。ここで、ヒンジ部７３は、２つの部分を接続して、膜ヒンジのように機能する接着接合部により形成される。図２３及び２４には、それぞれ完全に開かれている状態及び完全に折り畳まれた状態の、ヒンジ部７３の高さにおける拡大図が図示されている。折り畳まれた状態のそのような後壁部品は、開かれた状態の後壁部品の半分の寸法しか有していないことは明らかである。折りたたみ式の後壁として実現されるそのような後壁部品は、取り付けられた状態において、２つの分離した部品よりも１点の家具により良い剛性をもたらす単一の部品として機能するという利点を有する。同時に、折り畳まれた状態のそのような後壁部品は、包装及び運搬が容易であり、フラットパック家具にとって非常に便利であるという利点を有する。
【００８１】
開かれた後の２つの後壁部品９及び１０は、図３の実施形態の後壁部品と類似した方法で、通路３３、３４を通って対応する受け座内に滑り入れられる。
【００８２】
好ましくは、全ての変わり目、したがって、２つの後壁部品の間の変わり目、さらに２つの部分７１、７２の間の変わり目は、棚等の後に位置付けられるように、全体が構成される。付属部品４４は、２つの後壁部品９及び１０の間に備え付けることができる。場合により、付属部品４４と類似する追加の付属部品７４を折り曲げ端部に備え付けることもできる。
【００８３】
また、ヒンジ部を他の方法で実現することもできる。例えば、変わり目の位置における膜ヒンジとして、後壁部品の２つ以上の部分にわたって継続的に備えられている被覆膜を使用することもできる。
【００８４】
また、後壁部品及び付属部品は、水平方向を向いている必要も無い。例えば、図２５及び２６には、背面図において、垂直方向の後壁部品７５、７６及び付属部品４４を有する１点の家具が図示されている。そして、これらの付属部品は隔壁７７内の開口と協働する。そして、後壁部品の設置は、１点の家具の上部及び下部に配置された通路３３、３４により実施される。
【００８５】
一般的に、構造部品３及び後壁部品は様々な材料から成ることができるが、好ましくは、被覆板材料が使用される。このことは、フラットパック家具の製造の為に特に推奨される。
【００８６】
好ましくは、構造部品３は、対向側面上に被覆７９を備えている基板７８から成る。
【００８７】
好ましくは、そのような基板７８は、植物質に基づいており、特に、他の材料と混合されていてもいなくても、結合剤により固められた粒子及び／又は繊維から成る。好ましくはチップ及び/又は繊維の形の木材、例えば、少なくとも部分的にそして可能であれば全体がリサイクル木材から成るパーティクルボード又はＭＤＦ／ＨＤＦが最も推奨される。
【００８８】
場合により、亜麻チップの使用により、又はコルク、膨張合成材料部品等を混合することにより、より軽量の基板を使用することができる。基板７８に中空板を使用することも排除されないが、中空板はそれぞれの受け座が備えられる端部に細長い片を有している。中空部分はハニカム構造を有していることができる。
【００８９】
基板７８はどんな厚さを有していてもよい。家具の通常の厚さは１２〜３０ｍｍの間であるが、他の値も排除されていない。
【００９０】
好ましくは、上記被覆７９は、例えばＤＰＬの形の積層により形成されるが、ラッカー、被膜、化粧板等の他の被覆も排除されていない。
【００９１】
後壁の基板８０及びその被覆８１は、同様の方法で構成されることができる。しかしながら、背板は、好ましくは、比較的薄く、大体３ｍｍの厚さを有する。好ましくは、図示されているように、基板は片側だけに被覆８１を備えている。実用的な実施形態において、この目的の為にＭＤＦ又はＨＤＦ板が使用され、被覆は被膜から成る。他の可能性も排除されていない。
【００９２】
本発明の第４の側面と第１の側面の組合せが、上記通路３３、３４を実現する為の実用的な解決策を提供し、この場合、仕上げテープ３１のみが局所的に中断され、このことは、テープ接着装置に設置することができるフライス盤のような移動可能な切断器具の使用によりとても簡単に実現できる。実際の家具パネルにおいては、もっぱら直線的な陥凹部２９を実現する必要があり、通路を形成する為に、家具パネル自体に特定のフライス加工処理をする必要性は排除される。
【００９３】
第４の側面の上記実施形態は、第１の側面から独立して実現することもできる。事実、一般的に第４の側面は後壁の為の受け座を形成する方法に関することは明らかであり、このことは、後壁が関連する受け座内に挿入される方法とは独立しているものである。例として、図２７及び２８において、組み立て要素１、特に１点の家具が図示されており、該組み立て要素には上記の通路が存在しない。しかしながら、後壁部品８２は２つの側壁５、６の間を通常の方法で受け座内に降下され、そしてその後に、上壁７が側壁上に備え付けられる。しかしながら、後壁部品の取り付けは本発明の第４の側面を適用することにより実施される。
【００９４】
図２９、３０及び３１には、図２８と同様の断面図により、第４の側面のいくつかの特定実施形態が図示されている。ここで、特殊性は、仕上げテープ３１が、後壁部品８２の少なくとも一対の対向側部において、フック形状係止部８３を備えており、該係止部が後壁部品、特に後壁部品の溝形状の陥凹部８４と協働することから成る。この方法により、後壁が１点の家具の剛性により良い貢献をもたらし、それにより、フック形状係止部が使用されていない場合よりも１点の家具のぐらつきが少なくなる。
【００９５】
好ましくは、仕上げテープ３１は、貼り付けられる前にフック形状係止部を既に備えている。
【００９６】
図２９の実施形態においては、仕上げテープ３１は、仕上げテープの端部から距離を置いて仕上げテープに陥凹部８５が形成されている構成の、フック形状係止部を有する。図３０には変形が図示されており、ここで、フック形状係止部は仕上げテープの実際の平面から突出している。
【００９７】
図３１の実施形態においては、突出係止部上に面取り面８６が形成されている。このことは、例えば、そのような後壁部品が方向Ｄ５、Ｄ６により受け座内に滑り入れられなければならない時に便利である。このことは、例えば、後壁部品が、１点の家具の側壁の間に配置される為に、いくらか弾性的に湾曲され、その後に開放されると、後壁部品は、受け座内に端部が配置されて平坦な状態に伸びることを意図している。例として、図３１の実施形態は、図２７による１点の家具の実施形態の下部及び上部に使用するにも便利である。
【００９８】
図３２及び３３には第４の側面の特定実施形態が図示されており、特殊性は、後壁部品８２が、前方移動Ｍにより、そして仕上げテープ３１を湾曲することにより、後壁の位置に備え付けられることができるように全体が構成されていることにある。好ましくは、このことは、それぞれの後壁部品の後側の材料を除去することにより実質的に実現され、図示される実施例においては、面取り面８７から成る。
【００９９】
本発明は、棚支持部により棚を取り付ける為の装置をも目的とするものであり、ここで、一方で、取り付けられた状態において棚支持部がほとんど又は全く障害とはならず、そして、他方で、棚自体に備えられるべき準備が、製造技術に関して簡単な方法で安価に実現されるように全体が構成される。
【０１００】
本発明によると、この目的の為に、棚の下側に、その側端部から始まる陥凹部が備えられ、この陥凹部から始まる上向きの穴が棚内に伸びており、そして、側壁内に横穴が存在し、棚支持部が、該陥凹部内に適合する本体を有し、そして、取り付けられた状態において、該本体が棚の下側に対して少なくとも部分的に、そして好ましくは完全に埋め込まれて配置されており、該陥凹部の穴に適合する上向きの突出部が該本体に備えられ、そして、棚支持部がさらに、該側壁内の横穴に適合する取付部分を有していることを特徴とする装置が使用される。
【０１０１】
第１の好ましい実施形態によると、棚に実現されるべき準備は、部分的なフライス加工等のみから成り、そして１つ以上の穴から成る。その実用的な実施例は図３４及び３５に図示されており、図３４には棚支持部８８の斜視図が図示され、そして、図３５には取り付けられた状態の断面図が図示されている。上述のように、棚支持部８８は、陥凹部９０内に適合し、棚８の下側９１に対して埋め込まれる本体８９を有している。この本体８９上に、陥凹部の穴９３内に適合する上向きの突出部９２が備えられる。さらに、棚支持部８８は、側壁内の横穴９５に適合する取付部分９４を有している。この取付部分９４は、陥凹部の半穴９７により形成される開口内に適合する上向き部分９６を介して、本体８９に間接的に接続されている。さらに、取付部分９４は、固定リブ９８を備えることができる。
【０１０２】
図３５に概略的に図示されているように、陥凹部９０は横方向に移動するフィンガーカッター９９により形成することができ、陥凹部の穴９３及び９７はドリル１００、１０１により簡単に実現することができる。
【０１０３】
第２のより好ましい実施形態によると、棚に適用されるべき全ての準備は穴のみにより実現され、ここで、第１の穴が棚支持部の実際の本体の為の受け座を提供し、そして、第２の穴が上向きの突出部の為の空間を提供する。その実用的な実施例が図３６〜３８に図示されている。図３６には棚支持部８８が図示され、図３７には棚８の下側が図示され、そして図３８には棚の下側の断面図が図示されている。図示されているように、棚８の下側に異なる直径の２つの穴１０２、１０３が備えられている。棚支持部８８は、最大穴１０２内に適合する本体８９と、取り付けられた状態で、より小さな穴１０３内にはまり込むことを意図する上向きの突出部９２と、を有している。さらに、本体８９に横向きの取付部分９４が備えられている。
【０１０４】
図３９〜４５には、本発明の第５の側面の実施例が図示されている。ここで、特殊性は、組み立て要素１が、１つ以上の構造部品と一体に形成されている取付部分１０４を備えていることから成り、該取付部分の後方に、通常特定の変形、例えば湾曲を伴って、後壁２が押し下げられる。図示されているように、これらの取付部分１０４は好ましくは、後壁の為の受け座を縁取るカム形状部分から成り、そして好ましくは、いくらか傾斜した案内側１０５及びより急勾配の固定側１０６を有する。図示されているように、これらのカム形状部分の使用は、溝の形の受け座１７、１８、１９、２０と組み合わせることができる。図４０〜４２には、取り付けられた状態の拡大図が図示されている。図４３〜４５には、後壁２の取り付けの実施方法が概略的に図示されており、即ち、単に後壁をカム形状部分の上から押し込むことにより実施される。
【０１０５】
図４１及び４２の拡大図から分かるように、場合により、受け座には特定のデザインを有する溝を使用することができ、この場合、後壁部品が溝内により深く配置されるにつれて、より自由が無くなり、そしてさらに固定される。この場合、対応する溝が、断面において、後壁の平面に対して傾斜していることにより達成される。
【０１０６】
そのような取付部分は、１点の家具の１つ、２つの対向側部、３つ又は４つ全ての側部に適用することができる。４つ全ての側部に取付部分が適用された場合、場合により、後壁又はその後壁部品が滑らかな方法で変形することができ、全ての端部をカム形状部分の後方に押し込むことができる為に、特定の準備がなされる。このことは、図４６に図示されているように、例えば、後壁部品の角の先端に隣接して切断部分１０７を備えることにより、可能になる。
【０１０７】
図４７及び４８には、そのようなカム形状部分の形の取付部分１０４の変形が図示されており、取付部分の表面が周りの材料と緩やかに融合している。この取付部分は、エッジ領域を形成するフライス盤を傾斜運動させることにより、簡単な方法で形成することができる。
【０１０８】
図４９には、本発明によるもう１つの組み立て要素１の概略図が図示されており、該組み立て要素も、他の部品を組み立てた後に後壁を後壁の位置に配置することができる特徴を有している。ここで、特殊性は、後壁２又はその後壁部品を１点の家具の外側から受け座１７、１８内に滑り入れることができることから成り、ここで、後壁を挿入することは可能であるが、後壁が独りでに受け座から滑り出ることを防止するブロック手段が備えられる。これらのブロック手段は、好ましくは１つ以上の止め具、例えば１つの止め具１０８から成り、後壁は変形することなく止め具に沿って移動することはできない。好ましくは、そのような止め具は１点の家具と一体に実現される。
【０１０９】
図４９には、点線によりもう１つの代替案が図示されており、後向きに外に繋がっている通路３３、３４を有し、強制湾曲により、該通路に沿って後壁を受け座１７、１８内に挿入することができる。通路３３、３４を通って後壁が受け座１７、１８内に配置されると、後壁はそれだけで直立したままになり、そして止め具１０８によりその位置に保持される。図４９の組み立て要素は、そのような場合に第１の側面の実施例をも図示していることは明らかである。
【０１１０】
本発明による上述の全ての後壁構造物は、主に、輪郭により少なくとも角において互いに固定することができる構造部品を有する組み立て要素に使用することを意図していることは明らかである。まさに、そのような実施形態においては、上述の実施形態により正確に実現される最小限の小さな分離した付属品とともに、又はこれらの付属品無しで、連携することができる。即ち、本発明はいわゆる「クリック止め家具」において最も利点を示すものである。したがって、そのような「クリック止め家具」と一緒に使用される時に、上述の実施例は、本発明の第６の側面の実施例を自動的に形成するものである。
【０１１１】
しかしながら、そのような後壁構造物が他の家具にも使用されることを排除するものではない。上述のそのような後壁構造物は、その場合にも利点を提供するものである。
【０１１２】
最後に、図５０及び５１に本発明の第７の側面の実用的な実施形態が図示されている。この第７の側面は、取り付けられた状態において、全体に更なる剛性を提供する角接合部１０９を提供する。ここで、特殊性は、係止部１５、１６を有するタングおよび溝結合が適用され、該係止部が実質的にタングの片側にのみ配置され、互いに対向配置されている部分がタングの両側に存在し、即ち係止部が配置されている側に第１の部分１１０、１１１が配置され、反対側に第２の部分１１２、１１３が配置されており、第２の部分１１２及び１１３が理論的に互いに接触して配置されている時に、第１の部分１１０及び１１１の間に小さな距離Ａが存在することを特徴とする。図５０において、このことは、結合部分が理論的に互いに距離をおいて互いに対向して配置されている時に、第２の部分１１２及び１１３の間の距離がＢであると、第１の部分１１０及び１１１の間の距離がＢ+Ａであることを意味している。ここで、意図する距離Ａは１ｍｍより小さく、好ましくは０．１ｍｍより大きい。実用的には、距離Ａは０．２〜０．６ｍｍの間であり、そして最良の結果は大体０．３〜０．５の間の値により得られ、最適値は０．４ｍｍである。
【０１１３】
好ましくは、この全てが、輪郭形状の小さな理論的な重なりにより得られる、いわゆる初荷重の使用と組み合わされ、それにより圧力Ｔが作り出される。理論的な形において該距離Ａを維持することにより、特に組み立て要素の２つの連続した角接合部にこの原則が適用された時に、特に剛性の角接合部を達成することができることが予想外に発見され、ここで、これらの連続した角における距離Ａが互いに同じである必要は無い。
【０１１４】
部分１１３の平面は部分１１１の平面の延長線上に配置される必要は無い。図５０に点線により変形として図示されているように、部分１１３は変位して配置されることもでき、したがって、この場合、同じ距離Ｂが保持されるように、部分１１２も同じ距離にわたって変位されなければならない。
【０１１５】
さらに、このことは、分離したタングを使用した、即ち図示される隙間１１４を有する結合部分１１、１２において特に有用であることが実証されている。
【０１１６】
この側面がさらに第３の側面と組み合わされた時には、１点の家具のぐらつきは２つの前部により妨げられ、その結果、最終的に非常に剛性で安定した１点の家具が得られる。
【０１１７】
本発明によると、組み立て要素とは、組み立てられた状態と同様に、まだ組み立てられていない状態の要素として理解されるべきである。したがって、このことは、例えば、組み立てられた状態において、本発明の特徴の１つ以上を示すが、まだ組み立てられておらず、まだ包装されているフラットパック家具も組み立て要素とみなされるべきであることを意味している。
【０１１８】
本発明は例として記載され、図面に図示されている実施形態に限定されるものではなく、反対に、そのような組み立て要素は、そして、特に上述の側面を実現するために使用されるその部品、特に上記後壁構造物は、本発明の範囲を逸脱することなく、様々な変形により実現することができる。
【０１１９】
フラットパック家具を意図しているか否かに関わらず、一般的に本発明は上述のような後壁構造物に関し、特に後壁部品の取り付けに関する。
【０１２０】
図５２及び５３には、付属部品４４の２つの他の変形が図示されており、該付属部品は図９と同様の方法で取り付けることができる。これらの付属部品４４は、実質的に取付部分４５及び止め形成部分４９から成る。さらに、これらの付属部品は、好ましくは、後壁部品９、１０と協働することを意図する支持部分５２をも有する。取付部分４５は、好ましくは、参照番号４８により示される返し、固定リブ等を備えている。
【０１２１】
図５２及び５３の実施形態の格別な独立した特徴は、付属部品４４が、１つ以上の滑り防止部分１１５を備えており、固定された付属部品と後壁部品９及び／又は１０の間に増加された摩擦が提供されることから成る。したがって、これらの滑り防止部分は、好ましくは羽根５０及び５１の下側に配置されており、場合により、支持部分５２にも配置されている。
【０１２２】
好ましい実施例においては、この目的の為に、滑り防止部分１１５は、付属部品４４の実際の本体が形成されている材料１１７よりも柔らかい材料１１６により形成されている。好ましくは、材料１１６及び１１７には、異なる硬さを有する合成材料、好ましくはゴムが使用される。ここで、材料１１６が、５０よりも小さいショア硬度、より好ましくは３０よりも小さいショア硬度、例えば大体２５のショア硬度を有し、材料１１７が、５０よりも大きいショア硬度、例えば７５のショア硬度を有するが、好ましくは１００よりも小さいショア硬度を有する。それにより、細長い形状の付属部品４４が、全体においていくらか柔軟なままとなるので、付属部品をその位置までらせん運動をすることなく体系的に押し込むことができる。このことは、必要であれば、付属部品４４を比較的長くすることができ、接合する後壁部品の全長又はほぼ全長にわたって伸びていることも可能であるという利点をも提供する。
【０１２３】
変形によると、滑り防止部分に接着手段、例えば接着片を使用することもでき、より柔軟な材料１１６と組み合わせても、組み合わせなくてもよい。
【０１２４】
上述の特徴と組み合わせることも組み合わせないこともできる、もう１つの独立した特徴は、付属部品が２つ以上の同時押出し材料、この場合１１６及び１１７から成り、この同時押出し材料が付属部品に様々な特性を与えることから成る。この方法においては、付属部品の特定の箇所に与えられる特性によって材料の選択が最適化される。
【０１２５】
図５３に図示されているように、羽根５０及び５１はいくらか下向きにすることができ、それにより、押し込まれた後に、羽根が持続的な弾性力を発揮する。
【０１２６】
またもう１つの独立した側面によると、本発明は構成部品を互いに取り付ける為の取付システム１１８に関し、特に、簡単な方法で、好ましくは必要な道具無しで、家具部品に家具付属品を取り付ける為の取付システムに関する。特に、このことは、家具部品上に取っ手等を取り付ける為に特に適している取付システムに関する。例として、図５４〜５７に取っ手１１９が図示されており、該取っ手がそのような取付システム１１８により引き出し前面１２０に固定されている。
【０１２７】
本発明によると、そのような取付システム１１８は実質的に、ホルダー又は接続部品として特徴付けられる本体１２１から成り、該本体は、一方の先端に、付属品例えば取っ手と協働することを意図する、第１の接続部分１２２を備えており、そして、第２の先端に、取付要素１２４と協働することができる、第２の接続部分１２３を備えている。好ましい実施形態によると、取付システム１１８は、上記の基本的特徴とどのような組合せによっても使用することができる、以下の１つ以上の特徴を示す：
−本体１２１が、穴１２５内に適合するデザインを有し、好ましくは円筒形外表面１２７を規定する部分１２６を有していること；
−第１の接続部分１２２が、内側又は外側ねじ山から成り、そして好ましくは、図示されているように、外側ねじ山１２９を有する突出ねじ山部分１２８から成り、該突出ねじ山部分を付属品の穴１３０内にねじ込むことができること；
−第２の接続部分１２３が、クランプ又はスナップ部分から成り、該クランプ又はスナップ部分内又は部分上に取付要素１２４を押し下げることができること；
−取付要素１２４が、押し込みプラグ又はねじプラグとして形成され、該プラグが第２の接続部分と協働することができ、したがって、単に第２の接続部分内又は部分上に押し下げることができること；
−第２の接続部分１２３及び取付要素１２４が歯付部分又は返し１３１、１３２を介して協働し、該歯付部分又は返しが好ましくは、互いに対向して対角線上に備えられている断片１３３、１３４及び１３５、１３６上に配置されていること。
【０１２８】
図示されている実施例においては、これらの特徴の全てが組み合わされている。
【０１２９】
取付システム１１８の機能は、図面から簡単に推定することができる。本体１２１が、この場合ねじ山部分１２８を穴１３０内にねじ込むことにより、第１の接続部分１２２によって付属品上に備え付けられる。そして、付属品が本体１２１によって穴１２５内に備え付けられ、その後、反対側から、この場合断片１３５、１３６を有する対応する取付要素１２４を断片１３３、１３４の間に押し下げることにより、取付要素１２４が第２の接続部分１２３上に備え付けられる。
【０１３０】
場合により、歯付部分１３１、１３２は、取付要素１２４を簡単な方法で押し下げることができるが、ねじ運動によりねじって外すことができるように、ねじ山として形成されることができる。その場合、歯付要素はそのような断片には備えられず、その代わりに同心部分に備えられる。
【０１３１】
構成部品、特に本体１２１及び取付要素１２４は、どんな材料から成ることもできるが、好ましくは、合成材料、例えばＰＶＣから形成されている。
【０１３２】
図５８及び５９には、付属品、この場合、小さな取っ手又は引手を家具部品１３９上に備え付ける為の本発明によるもう１つの取付システム１３７が図示されている。
【０１３３】
取付システム１３７は、実質的に２つのねじ山部分１４１及び１４２を有する接続部品１４０から成り、第１のねじ山部分１４１は、付属品１３８に取り付けるのに適しており、そして、第２のねじ山部分１４２はねじとして形成され、したがって、セルフタッピング方式で家具部品１３９内に、場合により家具部品に備えられた穴１４３内に、ねじ込むことができる。
【０１３４】
好ましくは、第１のねじ山部分１４１はメートルねじとして形成される。このねじ山部分１４１は、好ましくは、内側ねじ山１４４と協働することができる外側ねじ山を有する部分として実現される。
【０１３５】
第２のねじ山部分１４２は、好ましくは、いわゆるユーロねじにおいても使用されているように、いわゆる木ねじ、したがって、木の中にねじ込む為のねじ山を備えている。
【０１３６】
さらに、付属品が接続部品上に一定の長さにわたってのみねじ込まれることができるように全体が設計されており、このことは、例えば図示されている止め形成端部１４５により実現できる。
【０１３７】
機能は図面から簡単に推定することができる。付属品１３８がねじ山部分１４１上にねじ込まれ、その後に、全体が穴１４３内にねじ込まれる。
【０１３８】
接続部品１４０は好ましくは鋼鉄から成るが、他の材料も排除されてはいない。
【０１３９】
図６０〜６３には、棚支持部８８のもう１つの変形が図示されている。該棚支持部は、棚の下側の穴と協働することができる本体８９を有し、さらに、棚の下側に対して配置されることを意図するカラー又はフランジ１４６を有する。本体８９は実質的に円形であるが、好ましくは、棚の側部と一致することを意図する、平坦部分１４７を有している。取付部分９４は固定リブ９８を有している。
【０１４０】
図示されている棚支持部に存在する重要な独立した主要な特徴は、取り付けられた状態において、取付部分９４と同様にタブ形状の本体８９が、カラー又はフランジ１４６等を除いて、棚の上側及び下側により規定されている平面の間に配置されることである。
【０１４１】
図６４〜６７には、図６０〜６３の実施形態よりもより細く形成された本体８９を有する実施形態が図示されている。
【０１４２】
図６８〜７０には、引き出しのスライド１４９の為の取付システム１４８が図示されており、同様に、円滑な組み立てを可能にする、該スライドと共に使用される取付要素１５０が図示されている。
【０１４３】
スライド１４９は少なくとも２つの部分、即ち、食器棚の壁１５２等に取り付けることを意図する、少なくとも１つの固定部分１５１と、引き出しが取り付けられる少なくとも１つの可動部分１５３と、から成る。
【０１４４】
取付システム１４８は特に、図示されている実施例においてはその全てが組み合わされているが、そのような組合せ又はどんなより少ない組合せでもよい、以下の特徴の１つ以上を示す：
−取付システム１４８が、開口１５５を通って固定部分１５１に取り付けられ、穴１５６内に押し下げることができる、１つ以上の固定プラグ１５４を使用すること；
−１つ以上の該固定プラグ１５４を開口１５５内に事前に取り付けることができ、そして、該固定プラグを開口内に保持する為の保持手段を有し、実施例においては、該保持手段は、一方で固定リブ１５７そして他方で部分１５８が開口１５５の周りの止め具として両方向に作用することにより得られること；
−取付要素１５０が少なくとも２つの固定プラグ１５４を有し、該固定プラグは共通の基部１５９により接続されており、このことは、そのような取付要素１５０を、普通は固定部分内に複数存在する開口１５５内の１つの位置のみにおいて、又は限定された数の位置のみにおいて、取り付けることができ、それにより、欠陥のある組み立ての危険を減少するという利点を有し、もう１つの利点は、固定プラグ１５４が同じ基部上に配置されているので固定プラグがより揺れ動くことがない、したがって、固定プラグがそれ自体によって緩んでしまう傾向がよりなくなること；
−取付システムは、２つ以上の固定プラグ１５４がその上に形成されている共通の基部１５９を使用しており、該基部１５９が小さな板として形成され、特に、このことは、ほとんどの取付要素の適切な取り付けが容易になるという利点を提供すること。
【０１４５】
取付システム１４８の組み立て及び機能は、図面及び上記記載から簡単に推定することができる。取付システム１４８が他の家具付属品の取り付けにも使用できることは明らかである。
【０１４６】
本発明の特定の独立した側面によると、１つ以上の家具取付部品を備えた家具部品の形状又は組み立て要素の形状の要素に関し、少なくとも１つの家具取付部品が実質的に金属から成り、該家具取付部品が少なくとも部分的にそして好ましくは全体的に合成材料から成る１つ以上の取付要素を介して該要素に取り付けられていることを特徴とする。もう１つの特徴によると、取付要素は家具取付部品に事前に取り付けられている。これらの特徴は、取付技術の最適化を可能にする。図６９及び７０はその実施例を形成し、少なくともこの場合は合成材料の取付要素が使用されている。
【０１４７】
図７１及び７２には、本発明による補助手段１６０が図示されており、該補助手段は、１点の家具が誤って前方に傾くことから保護することを意図している。補助手段１６０がベルト１６１及びねじプラグ又は固定プラグ１６２から成り、該ねじプラグ又は固定プラグにより該ベルトを食器棚の穴等に押し下げることができる。該固定プラグ１６２が好ましくは事前に形成された開口１６３を介して該ベルト１６１を貫いて挿入される。その後、該ベルトの他の先端は食器棚の後ろの壁に取り付けられなければならない。
【０１４８】
図７３〜８４は、家具に使用することができるいくつかの特定のヒンジ懸架装置に関連する。
【０１４９】
図７３には、上側部１６４、下側部１６５、側壁１６６、１６７及び食器棚の扉１６８を備えた食器棚が図示されている。
【０１５０】
図７４には、図７３の矢印Ｆ７４による図が示されており、本発明の可能なヒンジ付属品の拡大詳細図が図示されている。図７５には、反対側からの図が図示されており、ドアがヒンジされておらず、通常その中にドアが図示しないピンにより保持される開口１６９が現れている。
【０１５１】
図示されるヒンジ付属品１７０は、１つ以上の以下の特徴を示すことが特殊であり、図示される実施形態においては、全てを組み合わせることができるが、そのよう組合せとして実現することも、どんな減少された組合せとして実現することもできる：
−１つ以上の止め形成部分１７１、１７２を有し、該止め形成部分によりヒンジ付属品を壁に対して又は端部沿いに配置することができること；
−固定部分１７３及び部分１７４を有し、該部分が該固定部分に対して変位可能で、調整可能であり、それにより、例えば締めねじ１７５により、ヒンジ点の移動が可能になること；
−ドアの為の止め具１７６を有し、該止め具が好ましくは調節可能であること；
−この場合１７２で示されており、取り除くことができる止め具部分を有し、該止め具部分を、配置して取り付けた後に、視界から移動させる為に取り除くことができ、例えば、図７５及び７６から分かるように、このことが例えば分離端１７７により実行されること；そのような配置部分は端部と協働するカラーであることができるが、突出部分が一時的な止め具を形成するか、又は端部と同等の高さに設置されること；
−ヒンジ付属品が、接着結合例えば固定部分１７３を１点の家具上に接着することのみにより、１点の家具上に備え付けられること。
【０１５２】
図７７には、ヒンジ開口１８０に向って円滑にヒンジピンを案内する斜面の形のガイド１７９を有するヒンジ付属品１７８が図示されている。ここでも、ヒンジ付属品は接着結合のみにより壁に対して備え付けられるが、他の可能性が排除されるわけではない。上記と同様に、取り除かれていても、取り除かれていなくてもよい止め形成部分も基体１８１上に備えられる。
【０１５３】
図７８には、ドア内に取り付けることができる、もう１つのヒンジピンが図示されている。該ヒンジピンは、ハウジング１８２、実際のピン１８３、ピンを外側に押すばね１８４、そしてハウジング内の開口１８５から成り、ドアの取り付け及び／又は取り外しの為に、工具により、ハウジングに沿ってピンが一時的に押し戻されることができる。
【０１５４】
ドアが、好ましくは１つの固定ピン及び１つの可動ピンを備え、該固定ピンが、好ましくは上端に配置されている。
【０１５５】
図７９及び８０には、接着結合及び／又は他の方法により、側壁１６６に対して取り付けることができる固定部分１８７、及び、好ましくは角部分として形成されるヒンジ結合１８８により固定部分に取り付けることができるヒンジ可能部分１８９を有するヒンジ付属品又は懸架装置１８６が図示されている。
【０１５６】
角部分が、好ましくは角度を付けて直立している２つの壁から成り、そして好ましくは、図示されているように、角度を付けて直立している３つの壁１９０、１９１及び１９２から成り、該角部分に対して、接着結合及び／又は他の方法により、端部及び／又は角によってドアを取り付けることができる。
【０１５７】
図８１及び８２には変形が図示されており、固定部分１８７及び可動部分１８９がピンを有するヒンジにより結合されておらず、むしろ膜ヒンジ１９３により結合されている。随意的に、固定部分において、ドアの開口内に係合するピン１９４又は圧力ねじが備えられる。このことは、先行の実施形態においても使用することができる。
【０１５８】
図８３及び８４には、両側から見たもう１つの変形が図示されている。図示されるヒンジ付属品１８６は、図示される実施例においてはすべて組み合わされているが、そのような組み合わせでも、より少ない組合せでもよい以下の１つ以上の特徴を示す点で特別である；
−全ての組み立て部品、又は少なくともその全ての壁部品を実質的に平坦形状で販売することができ、それにより円滑な方法でフラットパック家具とともにそれらを包装することができる；
−角部分を形成する２つ以上の壁がヒンジ１９５、１９６、好ましくは膜ヒンジを介して互いに結合され；実施例においては、全ての３つの壁１９０、１９１、１９２がヒンジ、この場合膜ヒンジにより互いに結合される。
【０１５９】
その後、図８１及び８２に示すように、壁１９０、１９１、１９２が角形状に折り畳まれ、その後、接着結合及び／又は他の方法により、該壁がドアの対応する表面に取り付けられる。開口１９７は随意的であり、該開口を通して追加のピンを案内することができる。
【０１６０】
図８５〜１０４により、以下に本発明による後壁構造物がもう少し記載されている。
【０１６１】
図８５〜９０には、図３及び４の実施形態のいくつかの代替案が図示されている。これらの図面の実施形態の特殊性は、１つ以上の付属部品４４をその間に備えるために、少なくとも始めは後壁部品９、１０が互いに距離Ｘを置いて保持されるために１つ以上のスペーサ１９８が備えられていることから成り、これらのスペーサ１９８が後壁部品９、１０と相違しており、即ち図３の実施形態と相反して、該スペーサが該後壁部品の一部を形成していない。特に、このことが、必要であれば、特定の陥凹部５９を後壁部品の端部に備えなくてもよく、単に真っ直ぐな端部とともに作業することができるという利点を提供する。この方法により、全ての端部を直線切断処理、例えばのこ引き処理だけにより形成することができるので、後壁部品９、１０をより簡単に実現することができる。しかしながら、このことは、図示しない直線的でない端部、例えば陥凹部５９を有する変形後壁部品を、後壁部品の一部を形成していないスペーサと組み合わせることを排除するわけではない。
【０１６２】
一般的に、該スペーサ１９８は、好ましくは突出部から成り、取り付けられた状態において、後壁部品９、１０の間に配置される。互いの上端上に取り付けられる後壁部品９、１０において、突出部が支持部を形成し、どの種類でも良い１つ以上の付属部品を後壁部品の間に配置することができるような方法で、支持部の下に配置された後壁部品９の上に距離Ｘをおいて後壁部品１０が配置されるように、該支持部がその真上にそれぞれ配置された後壁部品１０を支持する。
【０１６３】
突出部は別の位置に配置することもできるが、該突出部は好ましくは、家具の側壁及び／又は隔壁、及び／又は、１つ以上の棚の後端に配置される。
【０１６４】
実施形態の場合、通路３３、３４を通して溝２１、２２内に後壁部品を配置することができ、そして、後壁部品をそれぞれの突出部上を通路を通してそれぞれの溝内に、普通は湾曲により、押し入れることができ、その後この後壁部品が突出部上に配置されるように、そのような突出部をそのような通路の高さに配置することができる。
【０１６５】
そのような突出部は、１点の家具において互いに独立して後壁部品を支持する為だけに使用することもでき、したがって付属部品を使用する必要が無くなる。
【０１６６】
図８５は第１の実用的実施形態を図示しており、この場合プラグ１９９の形の突出部が、それぞれの通路３４の高さにおいて、溝２２内に配置される。１点の家具の反対側にも同様の突出部が配置されていることは明らかである。その後、後壁部品９、１０を突出部の上及び下に矢印Ａ１及びＡ２によって溝内に押し入れることができ、その後、最上部後壁部品１０が、この場合プラグ１９９である突出部上に配置され、そして、後壁部品９、１０の間に距離Ｘが保障され、該距離が、例えば上述の付属部品４４を棚の開口４７内に備え付けることを可能にする。また、互いに対向している後壁部品の端部は単純な直線状の輪郭を有することができることは明らかである。
【０１６７】
図８６には、変形が図示されており、棚の後端に備えられたプラグ２００の形の突出部が使用されている。
【０１６８】
図８７には、変形が図示されており、突出部は棚の後端上に実現されており、そしてこの場合、分離した部品が必要でないように、カム形状突出部分２０１の形で棚の後端と一体に形成されている。突出部を備えたそのような一体の輪郭は、例えば図８８及び８９により以下に説明されるように実現することができる。ここで、図８８に図示されるように、まず連続するタング輪郭２０２が後端の全長にわたって実現される。次に、図８９に図示するように、タング輪郭２０２の高さにおいて、例えばフライス加工により、溝輪郭２０３が実現され、ここで、それぞれのフライス盤が、突出部が実現されるべき位置においていくらか引き戻され、それにより、タング輪郭が局所的突出部したがって該カム形状突出部分２０１の形で局所的に存在したままになり、ここで、溝輪郭２０３が、その中に１つ以上の付属部品を備え付けることができる開口又は溝４７を形成する。
【０１６９】
図９０には、変形が図示されており、突出部はタング２０４の形で連続した方法で実現されており、ここで、該タングの上及び下の陥凹部が後壁部品９、１０の受け座として機能する。タング２０４において、この場合溝４７の形の開口が形成され、該溝内に付属部品４４を備え付けることができる。場合により、そのような突出部は、複数の位置に又は１つの位置に、局所的に備えられることもできる。
【０１７０】
図９１には、様々な特徴を組み合わせた付属部品４４の特定の実施形態が図示されている。付属部品４４が取付部分４５及び止め形成部分４９を有し、該付属部品を該取付部分により１点の家具に取り付けることができ、そして、該止め形成部分が後壁部品と協働することができる。実施例においては、取付部分は、開口４７内に押し下げられる固定部分として実現される。止め形成部分４９は、羽根５０、５１を有するフランジとして形成され、そして様々な機能を有する。第１の機能は、フランジが最上部後壁部品１０の支持部分として機能することから成る。第２の機能は、羽根が、１つ以上の方向において、後壁上に圧力を発揮する圧迫要素として機能することから成る。図示した実施例においては、これらは、後壁部品９、１０をこれらが配置されている受け座内に押し下げる横方向の圧力Ｔ１と、同様に、棚８に対して後壁部品を押し下げる前方向の圧力Ｔ２である。第３の機能は、場合により付属部品４４を事前に取り付けることができることから成り、そしてフランジが、前方向の押し下げ運動Ｍにより羽根の端部の後方に後壁部品９、１０を押し下げることを可能にする。ここで、羽根の端部は簡単に内側に湾曲することができ、その後、後壁部品９、１０の端部２０５、２０６の後方に弾性的に係合することができる。
【０１７１】
図９２〜９４には、本発明による付属部品４４のもう１つの特定実施形態が図示されており、該付属部品は、回転運動により溝形状の開口４７内に滑らかに押し入れることができる。付属部品４４は、取付部分４５及び止め形成部分４９を有する。取付部分４５は好ましくは半円形体２０７から成り、該半円形体は、その相対的に平坦なデザインにより、溝形状の開口４７内に適合し、ここで、この半円形体が湾曲リブ２０８を備えており、該湾曲リブは好ましくは半円形体２０７の両側に備えられており、そして、該半円形体が開口内に備え付けられると、開口４７の壁に対して圧迫して、多かれ少なかれその中に切り込む。湾曲リブ２０８の湾曲形状により、湾曲リブが押し込まれると、自動的に回転運動が引き起こされる。図示されているように、湾曲リブ２０８は好ましくは切断リブとして形成され、したがって、相対的に鋭利な先端エッジを有している。湾曲リブは止め形成部分に向って系統的に高さが増加することもまた好ましい。開口内に最初に挿入されることを意図する半円形体２０７の先端部２０９に、好ましくは１つ以上の局所的固定部分２１０が形成され、付属部品を取り付ける時に、該固定部分が、大体のヒンジ点を形成する為の初期固定を提供する。
【０１７２】
仕組みは図９４から簡単に推定することができ、仕組みは実質的に、そのような付属部品４４はまず先端部２０９がいくらか開口４７内に押し入れられ、そしてその後、止め形成部分４９の外側上に力が加えられ、その力が、回転運動により、半円形体２０７を開口４７内に固定することを引き起こす、ことから成る。湾曲リブ２０８が後壁部品の端部と協働するように、後壁部品間の距離も選択することができ、それにより、後壁部品が互いにもはや横方向には移動できなくなり、より高い剛性の１点の家具が得られるという追加の利点を有する。
【０１７３】
図９５〜９７には、後壁２の特定実施形態が図示されており、図９７には図９５のＦ９７により示されている部分の拡大図が図示されている。ここで、特殊性は、後壁２が複数の後壁部品、好ましくは２つの分離した後壁部品２１１、２１２から成り、該後壁部品は、横方向に受け座２１５、２１６内に配置されている間に、端部輪郭２１３、２１４により互いに適合することができ、特に互いに押し入れられる、及び／又は互いに相互旋回してはまり込むことができる、ことから成る。特定の用途において、このことは、１点の家具の残りの部品を設置した後においても、そのような後壁部品を１点の家具内に備え付けることができ、また１点の家具から取り除くこともできる、という利点を提供する。
【０１７４】
端部輪郭は好ましくは、係止部２１９、２２０を有するタング２１７及び溝２１８として形成され、該係止部が後壁部品をその端部において結合したままに保持する。
【０１７５】
ここで、自動的な逆戻りが妨げられるように、結合して意図する後壁が形成されている間、端部輪郭が死点上に押し込まれなければならないように、端部輪郭は構成されている。
【０１７６】
さらに、止め具のような、終了位置を決定する為の手段が備えられ、該手段は、例えば食器棚の下部の、例えばプラグ２２１又はその代わりの溝２２２から成り、最終状態において、後壁が該プラグ又は溝に対して下降することが可能である。
【０１７７】
実施例において、後壁部品はそれらの平坦状態に１点の家具の内部から押し込まれる。この用途は、台所の食器棚、例えば、距離Ｚが通常よりも大きい用途において有用であり、そして、作り出された空間が後壁の後方にケーブルを隠すために使用され、したがって、ケーブルが取り付けられた後に後壁を備え付けることができ、そして、場合により修理の時には一時的に後壁を取り除くこともできる。
【０１７８】
図９８及び９９には、本発明によるもう１つの後壁構造物が図示されており、特殊性は、後壁２又は少なくともその後壁部品は、家具部品内の開口２２４と協働する圧締要素２２３により固定される、ことから成る。このことは、始めに枠組みが構築され、その後、該枠組み内に後壁を取り付けることができるように全体を設計することができるという利点を提供する。
【０１７９】
ここで、後壁部品は好ましくは陥凹部２２５内に据え付けられる。図９９により明確に図示されているように、圧締要素２２３は押圧プラグから成ることができ、該押圧プラグが、開口２２６を通してそれぞれの後壁部品に配置され、そして、固定部分２２７により、例えば固定歯により、開口２２４内にはまり込む。開口２２６は好ましくは穴から成り、開口２２４は好ましくは溝から成る。そのような取り付けは後壁又は後壁部品の全周囲に沿って、又はその一部に沿って使用することができる。
【０１８０】
図１００〜１０４には、後壁２及び該後壁が備え付けられる構造部品、この場合側壁５の間に追加の結合を作ることにより、組み立て要素、特に１点の家具の剛性を増加することを可能にする圧迫装置２２８が図示されている。
【０１８１】
ここで、図１００には、特にそのような圧迫装置２２８を備え付けることができる箇所の斜視図が図示されている。図１０１には、そのような圧迫装置が図示されている。図１０２には、圧迫装置２２８が備え付けられた後であるがまだ固定されていない状態の図１００の線ＣＩＩ−ＣＩＩによる断面図が図示されており、図１０３及び１０４には、２つの異なる位置における図１０２の線ＣＩＩＩ−ＣＩＩＩによる断面図が図示されている。
【０１８２】
圧迫装置２２８は、１点の家具の構造部品、この実施例においては側壁５上に圧迫装置２２８を備え付ける為の取付手段２３０を有する基体２２９から成り、そして、後壁２と協働することができる係合システム２３１を有する。
【０１８３】
取付手段２３０は、構造部品５の開口内２３４、２３５に配置されることができる少なくとも２つのピン２３２、２３３から成る。これらの中の第１のピン２３２は固定的に設置され、他のピン２３３はハンドル２３４により回転することができる偏心部分として形成され、ここで、ハンドルを回転させるとピンの間の効果的な距離が変化し、開口内に締め付けが得られるように、偏心度が選択され、この場合、ピンが互いに向って移動して、１点の家具の中間材料部分に対して互いに向って締め付ける。係合システム２３１は、偏心設置円盤２３５により形成され、この実施例においては、該偏心設置円盤もハンドル２３４により回転させることができ、その回転により、該偏心設置円盤は後壁内にはまり込む、及び／又は後壁に対して圧迫する。図示しない変形によると、円盤はピン等の他の要素により置き換えることもでき、ここで、この要素は変位により背板と協働することができる。
【０１８４】
本発明によると、そのような圧迫装置は、他の形の取付手段２３０及び係合システム２３１により実現することもできる。
【０１８５】
本発明の範囲を逸脱することなく、上記の全ての実施形態の異なる変形が可能であることは明らかである。
【０１８６】
上記の用語「家具」は広い意味に解釈される必要があることに留意すべきである。特に、このことは１点の完全な家具と同様に家具の部品にも関するものである。このことは分離した１点の家具と同様に、台所、浴室及び据付の衣装家具等の、より大きな全体の一部を形成している１点の家具にも関するものである。
【符号の説明】
【０１８７】
１  組み立て要素
２  後壁
３  構造部品
４  底壁
５  左側側壁
６  右側側壁
７  上壁
８  棚
９  後壁部品
１０  後壁部品
１１  結合部分
１２  結合部分
１３  タング
１４  溝
１７  受け座
１８  受け座
１９  受け座
２０  受け座
２１  溝
２２  溝
２３  溝
２４  溝
２５  第１の側壁
２６  第２の側壁
２７  底部
２８  端部
２９  陥凹部
３０  ３１の部分
３１  仕上げテープ
３２  ３の細い側部
３３  通路
３４  通路
３５  ９の上端
３６  １０の下端
３７  ９の下端
３８  １０の上端
３９  ９の端部
４０  ９の端部
４１  １０の端部
４２  １０の端部
４３  面取り
４４  付属部品
４５  取付部分
４６  ８の側部
４７  ８の開口
４８  返し
４９  止め形成部分
５０  羽根
５１  羽根
５２  支持部分
５３  リップ
５４  リップ
５５  ５０の湾曲可能な部分
５６  ５１の湾曲可能な部分
５７  係止部
５８  係止部
５９  陥凹部
６０  開口
６１  軸受け筒
６２  回転つまみの形の部分
６３  円錐形の又は傾斜した部分
６４  傾斜側面
６５  軸受け筒
６６  折り込み取っ手
６７  放射状表面
６８  歯止め形状の歯
６９  歯止め形状の歯
７０  後壁部品
７１  ９及び１０の２つの部分
７２  ９及び１０の２つの部分
７３  ヒンジ部分
７４  追加の付属部品
７５  垂直方向の後壁部品
７６  垂直方向の後壁部品
７７  隔壁
７８  基板
７９  被覆
８０  基板
８１  被覆
８２  後壁部品
８３  フック形状係止部
８４  溝形状の陥凹部
８５  陥凹部
８６  面取り面
８７  面取り面
８８  棚支持部
８９  本体
９０  陥凹部
９１  ８の下側
９２  上向き突出部
９３  穴
９４  取付部分
９５  横穴
９６  上向き部分
９７  半穴
９８  固定リブ
９９  フィンガーカッター
１００  ドリル
１０１  ドリル
１０２  穴
１０３  穴
１０４  取付部分
１０５  案内側
１０６  固定側
１０７  切断部分
１０８  止め具
１０９  角接合部
１１０  第１の部分
１１１  第１の部分
１１２  第２の部分
１１３  第２の部分
１１４  隙間
１１５  滑り防止部分
１１６  １１５の材料
１１７  ４４の本体の材料
１１８  取付システム
１１９  取っ手
１２０  引き出し前面
１２１  １１８の本体
１２２  第１の接続部分
１２３  第２の接続部分
１２４  取付要素
１２５  穴
１２６  １２７を規定する部分
１２７  円筒形外表面
１２８  突出ねじ山部分
１２９  外側ねじ山
１３０  穴
１３１  返し
１３２  返し
１３３  断片
１３４  断片
１３５  断片
１３６  断片
１３７  取付システム
１３８  付属品
１３９  家具部分
１４０  接続部品
１４１  第１のねじ山部分
１４２  第２のねじ山部分
１４３  穴
１４４  内側ねじ山
１４５  止め形成端部
１４６  カラー又はフランジ
１４７  平坦部分
１４８  取付システム
１４９  スライド
１５０  取付要素
１５１  １４９の固定部分
１５２  食器棚の壁
１５３  １４９の可動部分
１５４  固定プラグ
１５５  開口
１５６  穴
１５７  固定リブ
１５８  部分
１５９  基部
１６０  補助手段
１６１  ベルト
１６２  固定プラグ
１６３  事前に形成された開口
１６４  上側部
１６５  下側部
１６６  側壁
１６７  側壁
１６８  食器棚の扉
１６９  開口
１７０  ヒンジ付属品
１７１  止め形成部分
１７２  止め形成部分
１７３  固定部分
１７４  変位可能部分
１７５  締めねじ
１７６  止め具
１７７  分離端
１７８  ヒンジ付属品
１７９  ガイド
１８０  ヒンジ開口
１８１  基体
１８２  ハウジング
１８３  ピン
１８４  ばね
１８５  開口
１８６  ヒンジ付属品又は懸架装置
１８７  固定部分
１８８  ヒンジ結合
１８９  ヒンジ可能部分、可動部分
１９０  壁
１９１  壁
１９２  壁
１９３  膜ヒンジ
１９４  ピン
１９５  ヒンジ
１９６  ヒンジ
１９７  開口
１９８  スペーサ
１９９  プラグ
２００  プラグ
２０１  カム形状突出部分
２０２  タング輪郭
２０３  溝輪郭
２０４  タング
２０５  ９の端部
２０６  １０の端部
２０７  半円形体
２０８  湾曲リブ
２０９  先端部
２１０  局所的固定部分
２１１  分離した後壁部品
２１２  分離した後壁部品
２１３  端部輪郭
２１４  端部輪郭
２１５  受け座
２１６  受け座
２１７  タング
２１８  溝
２１９  係止部
２２０  係止部
２２１  プラグ
２２２  溝
２２３  圧締要素
２２４  開口
２２５  陥凹部
２２６  開口
２２７  固定部分
２２８  圧迫装置
２２９  基体
２３０  取付手段
２３１  係合システム
２３２  ピン
２３３  ピン
２３４  開口、ハンドル
２３５  開口、偏心設置円盤
Ａ  距離、間隔
Ｂ  距離
Ｔ  圧力
【図１】
2014509548.tif 000003
【図２】
2014509548.tif 000004
【図３】
2014509548.tif 000005
【図４】
2014509548.tif 000006
【図５】
2014509548.tif 000007
【図６】
2014509548.tif 000008
【図７】
2014509548.tif 000009
【図８】
2014509548.tif 000010
【図９】
2014509548.tif 000011
【図１０】
2014509548.tif 000012
【図１１】
2014509548.tif 000013
【図１２】
2014509548.tif 000014
【図１３】
2014509548.tif 000015
【図１４】
2014509548.tif 000016
【図１５】
2014509548.tif 000017
【図１６】
2014509548.tif 000018
【図１７】
2014509548.tif 000019
【図１８】
2014509548.tif 000020
【図１９】
2014509548.tif 000021
【図２０】
2014509548.tif 000022
【図２１】
2014509548.tif 000023
【図２２】
2014509548.tif 000024
【図２３】
2014509548.tif 000025
【図２４】
2014509548.tif 000026
【図２５】
2014509548.tif 000027
【図２６】
2014509548.tif 000028
【図２７】
2014509548.tif 000029
【図２８】
2014509548.tif 000030
【図２９】
2014509548.tif 000031
【図３０】
2014509548.tif 000032
【図３１】
2014509548.tif 000033
【図３２】
2014509548.tif 000034
【図３３】
2014509548.tif 000035
【図３４】
2014509548.tif 000036
【図３５】
2014509548.tif 000037
【図３６】
2014509548.tif 000038
【図３７】
2014509548.tif 000039
【図３８】
2014509548.tif 000040
【図３９】
2014509548.tif 000041
【図４０】
2014509548.tif 000042
【図４１】
2014509548.tif 000043
【図４２】
2014509548.tif 000044
【図４３】
2014509548.tif 000045
【図４４】
2014509548.tif 000046
【図４５】
2014509548.tif 000047
【図４６】
2014509548.tif 000048
【図４７】
2014509548.tif 000049
【図４８】
2014509548.tif 000050
【図４９】
2014509548.tif 000051
【図５０】
2014509548.tif 000052
【図５１】
2014509548.tif 000053
【図５２】
2014509548.tif 000054
【図５３】
2014509548.tif 000055
【図５４】
2014509548.tif 000056
【図５５】
2014509548.tif 000057
【図５６】
2014509548.tif 000058
【図５７】
2014509548.tif 000059
【図５８】
2014509548.tif 000060
【図５９】
2014509548.tif 000061
【図６０】
2014509548.tif 000062
【図６１】
2014509548.tif 000063
【図６２】
2014509548.tif 000064
【図６３】
2014509548.tif 000065
【図６４】
2014509548.tif 000066
【図６５】
2014509548.tif 000067
【図６６】
2014509548.tif 000068
【図６７】
2014509548.tif 000069
【図６８】
2014509548.tif 000070
【図６９】
2014509548.tif 000071
【図７０】
2014509548.tif 000072
【図７１】
2014509548.tif 000073
【図７２】
2014509548.tif 000074
【図７３】
2014509548.tif 000075
【図７４】
2014509548.tif 000076
【図７５】
2014509548.tif 000077
【図７６】
2014509548.tif 000078
【図７７】
2014509548.tif 000079
【図７８】
2014509548.tif 000080
【図７９】
2014509548.tif 000081
【図８０】
2014509548.tif 000082
【図８１】
2014509548.tif 000083
【図８２】
2014509548.tif 000084
【図８３】
2014509548.tif 000085
【図８４】
2014509548.tif 000086
【図８５】
2014509548.tif 000087
【図８６】
2014509548.tif 000088
【図８７】
2014509548.tif 000089
【図８８】
2014509548.tif 000090
【図８９】
2014509548.tif 000091
【図９０】
2014509548.tif 000092
【図９１】
2014509548.tif 000093
【図９２】
2014509548.tif 000094
【図９３】
2014509548.tif 000095
【図９４】
2014509548.tif 000096
【図９５】
2014509548.tif 000097
【図９６】
2014509548.tif 000098
【図９７】
2014509548.tif 000099
【図９８】
2014509548.tif 000100
【図９９】
2014509548.tif 000101
【図１００】
2014509548.tif 000102
【図１０１】
2014509548.tif 000103
【図１０２】
2014509548.tif 000104
【図１０３】
2014509548.tif 000105
【図１０４】
2014509548.tif 000106
【国際調査報告】
2014509548.tif 000107
2014509548.tif 000108
2014509548.tif 000109
2014509548.tif 000110
2014509548.tif 000111
2014509548.tif 000112